(57)【要約】  使用者が容易にデザインを変更できる映像表示装置を提供する。映像表示装置は、映像を表示する表示パネルと、表示パネルを立設状態で支持する第一支持部材および第二支持部材と、第一支持部材および第二支持部材の一方と表示パネルとの間を嵌合によって介在する第一取り付け部材と、第一支持部材および第二支持部材の他方と表示パネルとの間を嵌合によって介在する第二取り付け部材と、表示パネルの背面に設けられ、第一取り付け部材および第二取り付け部材の少なくとも一方と嵌合する構造を有する第一装着部、第二装着部、第三装着部、および第四装着部と、を備える。そして、表示パネルの背面の幅方向の一方の端部から他方の端部に向かって、第一装着部、第二装着部、第四装着部、第三装着部、の順に設けられている。
2017098711.tif 000002
【特許請求の範囲】
【請求項１】
映像を表示する表示パネルと、
前記表示パネルを立設状態で支持する第一支持部材および第二支持部材と、
前記第一支持部材および前記第二支持部材の一方と前記表示パネルとの間を嵌合によって介在する第一取り付け部材と、
前記第一支持部材および前記第二支持部材の他方と前記表示パネルとの間を嵌合によって介在する第二取り付け部材と、
前記表示パネルの背面に設けられ、前記第一取り付け部材および前記第二取り付け部材の少なくとも一方と嵌合する構造を有する第一装着部、第二装着部、第三装着部、および第四装着部と、
を備え、
前記表示パネルの背面の幅方向の一方の端部から他方の端部に向かって、前記第一装着部、前記第二装着部、前記第四装着部、前記第三装着部、の順に設けられている、
映像表示装置。
【請求項２】
前記第一支持部材および前記第二支持部材は、前記表示パネルの下部を、前記表示パネルの表裏方向に横切るように配置され、かつ、前記表示パネルの表裏方向に関して非対称な形状を有する
請求項１に記載の映像表示装置。
【請求項３】
前記第一支持部材は、前記第一取り付け部材および前記第二取り付け部材の一方の取り付け部材と嵌合した状態から、前記第一支持部材が前記表示パネルの表裏方向に反転した後も前記一方の取り付け部材と嵌合することが可能な構造を有し、
前記第二支持部材は、前記第一取り付け部材および前記第二取り付け部材の他方の取り付け部材と嵌合した状態から、前記第二支持部材が前記表示パネルの表裏方向に反転した後も前記他方の取り付け部材と嵌合することが可能な構造を有する、
請求項１に記載の映像表示装置。
【請求項４】
前記第一取り付け部材は第一嵌合部を有し、前記第二取り付け部材は第二嵌合部を有し、前記第一嵌合部および前記第二嵌合部は、前記表示パネルの幅方向に偏在する凸形状または凹形状を有し、
前記第一支持部材は第三嵌合部を有し、前記第二支持部材は第四嵌合部を有し、前記第三嵌合部および前記第四嵌合部は、前記第一取り付け部材または前記第二取り付け部材の前記凸形状または前記凹形状と嵌合した状態から、前記第一支持部材または前記第二支持部材が前記表示パネルの表裏方向に反転した後も前記凸形状または前記凹形状と嵌合することが可能な、一対の凹形状または凸形状を有する、
請求項３に記載の映像表示装置。
【請求項５】
前記第一取り付け部材が、前記第一支持部材および前記第二支持部材の一方に支持される接触面は、当該映像表示装置が設置された設置面に対して傾斜しており、
前記第二取り付け部材が、前記第一支持部材および前記第二支持部材の他方に支持される接触面は、前記設置面に対して傾斜している、
請求項３に記載の映像表示装置。
【請求項６】
前記第一支持部材および前記第二支持部材は、前記第一取り付け部材または前記第二取り付け部材を支持する面に傾斜部材を有する、
請求項５に記載の映像表示装置。
【請求項７】
前記設置面に対する前記第一取り付け部材の前記接触面の傾斜角度と、前記第一取り付け部材の前記接触面と前記第一取り付け部材の前記表示パネルを支持する面とが成す角度との和が９０度になるように前記第一取り付け部材が形成され、
前記設置面に対する前記第二取り付け部材の前記接触面の傾斜角度と、前記第二取り付け部材の前記接触面と前記第二取り付け部材の前記表示パネルを支持する面とが成す角度との和が９０度になるように前記第二取り付け部材が形成された、
請求項５に記載の映像表示装置。
【請求項８】
前記第一支持部材は、前記第一取り付け部材と嵌合した状態から、前記第一支持部材が前記表示パネルの表裏方向で反転した後は、前記第一取り付け部材とは正常に嵌合せず前記第二取り付け部材と嵌合し、
前記第二支持部材は、前記第二取り付け部材と嵌合した状態から、前記第二支持部材が前記表示パネルの表裏方向で反転した後は、前記第二取り付け部材とは正常に嵌合せず前記第一取り付け部材と嵌合する、
請求項１に記載の映像表示装置。
【請求項９】
前記第一取り付け部材は、前記表示パネルの幅方向に偏在する凸形状または凹形状を備えた第五嵌合部を有し、
前記第二取り付け部材は、前記表示パネルの幅方向に偏在する凸形状または凹形状を備えた第六嵌合部を有し、
前記第一支持部材は、前記第五嵌合部の凸形状または凹形状の偏在に対応して前記表示パネルの幅方向に偏在した凹形状または凸形状を備えた第七嵌合部を有し、
前記第二支持部材は、前記第六嵌合部の凸形状または凹形状の偏在に対応して前記表示パネルの幅方向に偏在した凹形状または凸形状を備えた第八嵌合部を有する、
請求項８に記載の映像表示装置。
【請求項１０】
前記第一装着部は第一溝部を有し、前記第二装着部は第二溝部を有し、前記第三装着部は第三溝部を有し、前記第四装着部は第四溝部を有し、
前記第一溝部、前記第二溝部、前記第三溝部、および前記第四溝部の各々は、前記第一取り付け部材および前記第二取り付け部材のいずれかが挿入されて嵌合する、
請求項１に記載の映像表示装置。
【請求項１１】
前記第一溝部、前記第二溝部、前記第三溝部、および前記第四溝部のうちの２つの溝部は、前記第二取り付け部材の挿入を規制する第一規制部を有し、
前記第一溝部、前記第二溝部、前記第三溝部、および前記第四溝部のうちの他の２つの溝部は、前記第一取り付け部材の挿入を規制する第二規制部を有する、
請求項１０に記載の映像表示装置。
【発明の詳細な説明】
【技術分野】
【０００１】
本開示は、映像表示装置に関する。
【背景技術】
【０００２】
特許文献１は、スタンドを備えた表示装置を開示する。スタンドは、表示画面を有するパネル状の表示ユニットを下方から支持するためのものである。特許文献１に開示されたスタンド等の従来のスタンドは、プレート状の台座と、台座から上方に向けて延びる支柱とを有している。支柱の上端部は、表示ユニットの背面にネジ等で固定されている。
【先行技術文献】
【特許文献】
【０００３】
【特許文献１】特開２００７−１５６１７６号公報
【発明の概要】
【０００４】
本開示は、使用者が容易にデザインを変更することを可能とする映像表示装置を提供する。
【０００５】
本開示における映像表示装置は、映像を表示する表示パネルと、表示パネルを立設状態で支持する第一支持部材および第二支持部材と、第一支持部材および第二支持部材の一方と表示パネルとの間を嵌合によって介在する第一取り付け部材と、第一支持部材および第二支持部材の他方と表示パネルとの間を嵌合によって介在する第二取り付け部材と、表示パネルの背面に設けられ、第一取り付け部材および第二取り付け部材の少なくとも一方と嵌合する構造を有する第一装着部、第二装着部、第三装着部、および第四装着部と、を備える。そして、表示パネルの背面の幅方向の一方の端部から他方の端部に向かって、第一装着部、第二装着部、第四装着部、第三装着部、の順に設けられている。
【０００６】
本開示における映像表示装置によれば、使用者が容易にデザインを変更することが可能になる。
【図面の簡単な説明】
【０００７】
【図１】図１は、実施の形態１における映像表示装置の外観の一例を模式的に示す正面図である。
【図２】図２は、実施の形態１における映像表示装置の外観の一例を模式的に示す上面図である。
【図３】図３は、実施の形態１における映像表示装置の背面側の外観の一例を模式的に示す斜視図である。
【図４】図４は、実施の形態１における映像表示装置の背面側の構造の一例を模式的に示す分解斜視図である。
【図５】図５は、実施の形態１における映像表示装置のデザイン変更後の外観の一例を模式的に示す正面図である。
【図６】図６は、実施の形態１における映像表示装置のデザイン変更後の外観の一例を模式的に示す上面図である。
【図７】図７は、実施の形態１における映像表示装置の第一支持部材に固定された第一取り付け部材から第一装着部を取り外した状態の一例を模式的に示す分解図である。
【図８】図８は、図７に示した第一装着部および第一取り付け部材を拡大して示す斜視図である。
【図９】図９は、実施の形態１における映像表示装置の第一装着部と第一取り付け部材との嵌合状態の一例を模式的に示す水平断面図である。
【図１０】図１０は、実施の形態１における映像表示装置の第一取り付け部材に対する第一支持部材の組み合わせの方向の一例を模式的に示す背面図である。
【図１１】図１１は、実施の形態１における映像表示装置の第一嵌合部に対する第三嵌合部の勘合方向の一例を模式的に示す図である。
【図１２】図１２は、実施の形態１における映像表示装置の第一取り付け部材に対する第一支持部材の組み合わせの方向の他の例を模式的に示す背面図である。
【図１３】図１３は、実施の形態１における映像表示装置の第一嵌合部に対する第三嵌合部の勘合方向の他の例を模式的に示す図である。
【図１４】図１４は、実施の形態１における映像表示装置のデザイン変更後の外観の一例を模式的に示す正面図である。
【図１５】図１５は、実施の形態１における映像表示装置のデザイン変更後の外観の一例を模式的に示す上面図である。
【図１６Ａ】図１６Ａは、実施の形態１における映像表示装置の外観の一例を模式的に示す上面図である。
【図１６Ｂ】図１６Ｂは、実施の形態１における映像表示装置の外観の他の一例を模式的に示す上面図である。
【図１６Ｃ】図１６Ｃは、実施の形態１における映像表示装置の外観のさらに他の一例を模式的に示す上面図である。
【図１６Ｄ】図１６Ｄは、実施の形態１における映像表示装置の外観のさらに他の一例を模式的に示す上面図である。
【図１６Ｅ】図１６Ｅは、実施の形態１における映像表示装置の外観のさらに他の一例を模式的に示す上面図である。
【図１６Ｆ】図１６Ｆは、実施の形態１における映像表示装置の外観のさらに他の一例を模式的に示す上面図である。
【図１６Ｇ】図１６Ｇは、実施の形態１における映像表示装置の外観のさらに他の一例を模式的に示す上面図である。
【図１６Ｈ】図１６Ｈは、実施の形態１における映像表示装置の外観のさらに他の一例を模式的に示す上面図である。
【図１７Ａ】図１７Ａは、実施の形態１の変形例における傾斜部材を取り付けた第一支持部材および第二支持部材の外観の一例を模式的に示す上面図である。
【図１７Ｂ】図１７Ｂは、実施の形態１の変形例における傾斜部材を取り付けた第一支持部材および第二支持部材の外観の一例を模式的に示す斜視図である。
【図１７Ｃ】図１７Ｃは、実施の形態１の変形例における第一取り付け部材の外観の一例を模式的に示す斜視図である。
【図１７Ｄ】図１７Ｄは、実施の形態１の変形例における第一取り付け部材に第一支持部材を取り付けるときの側面図である。
【図１７Ｅ】図１７Ｅは、実施の形態１の変形例における第一取り付け部材に第一支持部材を取り付け、第二取り付け部材に第二支持部材を取り付けたときの外観の一例を模式的に示す斜視図である。
【図１７Ｆ】図１７Ｆは、実施の形態１の変形例における第一取り付け部材に第一支持部材を取り付け、第二取り付け部材に第二支持部材を取り付けたときの外観の一例を模式的に示す上面図である。
【図１７Ｇ】図１７Ｇは、実施の形態１の変形例における第一取り付け部材に第一支持部材を取り付け、第二取り付け部材に第二支持部材を取り付けたときの外観の一例を模式的に示す正面図である。
【図１７Ｈ】図１７Ｈは、実施の形態１の変形例における第一取り付け部材に第一支持部材を取り付け、第二取り付け部材に第二支持部材を取り付けたときの外観の一例を模式的に示す側面図である。
【図１７Ｉ】図１７Ｉは、実施の形態１の変形例における第一取り付け部材に第一支持部材を取り付け、第二取り付け部材に第二支持部材を取り付けたときの外観の一例を模式的に示す背面図である。
【図１７Ｊ】図１７Ｊは、実施の形態１の変形例における映像表示装置の外観の一例を模式的に示す側面図である。
【図１７Ｋ】図１７Ｋは、実施の形態１の変形例における第一取り付け部材に第二支持部材を取り付けるときの側面図である。
【図１７Ｌ】図１７Ｌは、実施の形態１の変形例における映像表示装置の外観の他の一例を模式的に示す側面図である。
【図１８】図１８は、実施の形態２における映像表示装置の第一取り付け部材および第一支持部材の外観の一例を模式的に示す背面図である。
【図１９】図１９は、実施の形態２における映像表示装置の第五嵌合部に対する第七嵌合部の勘合方向の一例を模式的に示す図である。
【図２０】図２０は、図１８に示した状態から第一支持部材を反転させた状態を示す図である。
【図２１】図２１は、図１９に示した状態から第一支持部材を反転させた状態を示す図である。
【図２２】図２２は、実施の形態２における第一取り付け部材の第五嵌合部と第二取り付け部材の第六嵌合部との関係、および、第一支持部材の第七嵌合部と第二支持部材の第八嵌合部との関係のバリエーション（鏡像対称および点対称）を模式的に示す図である。
【図２３Ａ】図２３Ａは、実施の形態２の変形例における映像表示装置の第一装着部と第一取り付け部材との嵌合状態の一例を模式的に示す水平断面図である。
【図２３Ｂ】図２３Ｂは、実施の形態２の変形例における映像表示装置の第二装着部の一構成例を模式的に示す水平断面図である。
【図２４Ａ】図２４Ａは、実施の形態２の変形例における映像表示装置の外観の一例を模式的に示す上面図である。
【図２４Ｂ】図２４Ｂは、実施の形態２の変形例における映像表示装置の外観の他の一例を模式的に示す上面図である。
【図２４Ｃ】図２４Ｃは、実施の形態２の変形例における映像表示装置の外観のさらに他の一例を模式的に示す上面図である。
【図２４Ｄ】図２４Ｄは、実施の形態２の変形例における映像表示装置の外観のさらに他の一例を模式的に示す上面図である。
【図２４Ｅ】図２４Ｅは、実施の形態２の他の変形例における映像表示装置の外観の一例を模式的に示す上面図である。
【図２４Ｆ】図２４Ｆは、実施の形態２の他の変形例における映像表示装置の外観の他の一例を模式的に示す上面図である。
【図２４Ｇ】図２４Ｇは、実施の形態２の他の変形例における映像表示装置の外観のさらに他の一例を模式的に示す上面図である。
【図２４Ｈ】図２４Ｈは、実施の形態２の他の変形例における映像表示装置の外観のさらに他の一例を模式的に示す上面図である。
【図２５】図２５は、他の実施の形態における一体型支持部材の外観の一例を模式的に示す上面図である。
【図２６Ａ】図２６Ａは、他の実施の形態における第一支持部材の外観の一例を模式的に示す上面図である。
【図２６Ｂ】図２６Ｂは、図２６Ａに示される第一支持部材の背面側の外観の一例を模式的に示す背面図である。
【図２６Ｃ】図２６Ｃは、図２６Ａに示される第一支持部材の左側面側の外観の一例を模式的に示す側面図である。
【図２６Ｄ】図２６Ｄは、図２６Ａに示される第一支持部材の正面側の外観の一例を模式的に示す正面図である。
【図２６Ｅ】図２６Ｅは、図２６Ａに示される第一支持部材の右側面側の外観の一例を模式的に示す側面図である。
【図２６Ｆ】図２６Ｆは、図２６Ａに示される第一支持部材の底面側の外観の一例を模式的に示す底面図である。
【図２６Ｇ】図２６Ｇは、図２６Ａに示される第一支持部材、および第二支持部材の外観の一例を模式的に示す斜視図である。
【図２６Ｈ】図２６Ｈは、図２６Ｇに示される第一支持部材および第二支持部材の正面側の外観の一例を模式的に示す正面図である。
【図２７Ａ】図２７Ａは、他の実施の形態における第一支持部材の外観の一例を模式的に示す上面図である。
【図２７Ｂ】図２７Ｂは、図２７Ａに示される第一支持部材の左側面側の外観の一例を模式的に示す側面図である。
【図２７Ｃ】図２７Ｃは、図２７Ａに示される第一支持部材の正面側の外観の一例を模式的に示す正面図である。
【図２７Ｄ】図２７Ｄは、図２７Ａに示される第一支持部材の右側面側の外観の一例を模式的に示す側面図である。
【図２７Ｅ】図２７Ｅは、図２７Ａに示される第一支持部材の背面側の外観の一例を模式的に示す背面図である。
【図２７Ｆ】図２７Ｆは、図２７Ａに示される第一支持部材の底面側の外観の一例を模式的に示す底面図である。
【図２７Ｇ】図２７Ｇは、図２７Ａに示される第一支持部材、および第二支持部材の外観の一例を模式的に示す斜視図である。
【図２７Ｈ】図２７Ｈは、図２７Ｇに示される第一支持部材および第二支持部材の正面側の外観の一例を模式的に示す正面図である。
【図２８Ａ】図２８Ａは、他の実施の形態における第一支持部材の外観の一例を模式的に示す上面図である。
【図２８Ｂ】図２８Ｂは、図２８Ａに示される第一支持部材の背面側の外観の一例を模式的に示す背面図である。
【図２８Ｃ】図２８Ｃは、図２８Ａに示される第一支持部材の左側面側の外観の一例を模式的に示す側面図である。
【図２８Ｄ】図２８Ｄは、図２８Ａに示される第一支持部材の正面側の外観の一例を模式的に示す正面図である。
【図２８Ｅ】図２８Ｅは、図２８Ａに示される第一支持部材の右側面側の外観の一例を模式的に示す側面図である。
【図２８Ｆ】図２８Ｆは、図２８Ａに示される第一支持部材の底面側の外観の一例を模式的に示す底面図である。
【図２８Ｇ】図２８Ｇは、図２８Ａに示される第一支持部材、および第二支持部材の外観の一例を模式的に示す斜視図である。
【図２８Ｈ】図２８Ｈは、図２８Ｇに示される第一支持部材および第二支持部材の正面側の外観の一例を模式的に示す正面図である。
【図２９Ａ】図２９Ａは、他の実施の形態における一体型支持部材の外観の一例を模式的に示す上面図である。
【図２９Ｂ】図２９Ｂは、図２９Ａに示される一体型支持部材の左側面側の外観の一例を模式的に示す側面図である。
【図２９Ｃ】図２９Ｃは、図２９Ａに示される一体型支持部材の正面側の外観の一例を模式的に示す正面図である。
【図２９Ｄ】図２９Ｄは、図２９Ａに示される一体型支持部材の右側面側の外観の一例を模式的に示す側面図である。
【図２９Ｅ】図２９Ｅは、図２９Ａに示される一体型支持部材の背面側の外観の一例を模式的に示す背面図である。
【図２９Ｆ】図２９Ｆは、図２９Ａに示される一体型支持部材の底面側の外観の一例を模式的に示す底面図である。
【図２９Ｇ】図２９Ｇは、図２９Ａに示される一体型支持部材の外観の一例を模式的に示す斜視図である。
【発明を実施するための形態】
【０００８】
以下、適宜図面を参照しながら、実施の形態を詳細に説明する。ただし、必要以上に詳細な説明は省略する場合がある。例えば、すでによく知られた事項の詳細説明、および実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらにより特許請求の範囲に記載の主題を限定することは意図されていない。
【００１０】
また、各図は、模式図であり、必ずしも厳密に図示されたものではない。また、各図において、実質的に同じ構成要素については同じ符号を付し、説明を省略または簡略化する場合がある。
【００１１】
（実施の形態１）
以下、図１〜図１５を参照しながら、実施の形態１について説明する。
【００１２】
［１−１．映像表示装置の全体構成］
まず、図１〜図４を参照しながら、実施の形態１に係る映像表示装置１０の全体構成について説明する。なお、本実施の形態では、映像表示装置１０が備える表示パネル２０の映像表示面側を正面とし、映像表示面の裏面側を背面とする。また、映像表示装置１０は水平面（設置面）に設置されているものとし、設置面に相対的に近い方を下、設置面から相対的に遠い方を上とする。
【００１３】
また、本実施の形態では、便宜的に、Ｘ軸、Ｙ軸、Ｚ軸の３軸を用いて説明を行う。以下、設置面に垂直な方向（上下方向）に平行な軸をＺ軸とし、下から上に向かう方向をＺ軸正方向とする。また、Ｚ軸に直交し表示パネル２０の左右方向に平行な軸をＸ軸とし、表示パネル２０の左から右に向かう方向をＸ軸正方向とする。また、Ｘ軸およびＺ軸に直交し表示パネル２０の前後方向に平行な軸をＹ軸とし、表示パネル２０の表（正面側）から裏（背面側）に向かう方向をＹ軸正方向とする。
【００１４】
なお、これらの軸や方向は便宜的に示した相対的なものであり、本開示は何らこれらに限定されない。
【００１５】
図１は、実施の形態１における映像表示装置１０の外観の一例を模式的に示す正面図である。
【００１６】
図２は、実施の形態１における映像表示装置１０の外観の一例を模式的に示す上面図である。
【００１７】
図３は、実施の形態１における映像表示装置１０の背面側の外観の一例を模式的に示す斜視図である。
【００１８】
図４は、実施の形態１における映像表示装置１０の背面側の構造の一例を模式的に示す分解斜視図である。
【００１９】
図１に示されるように、映像表示装置１０は、表示パネル２０を備える。映像表示装置１０は、例えば、フラットパネルディスプレイ型の液晶テレビジョン受像機である。
【００２０】
表示パネル２０は、短矩形のフラットパネル状に形成されている。表示パネル２０の内部には、液晶パネル２１が配置されている。液晶パネル２１の表示画面は、表示パネル２０の正面に配置されている。
【００２１】
なお、映像表示装置１０は、液晶パネル２１に代えてＥＬ（Ｅｌｅｃｔｒｏ  Ｌｕｍｉｎｅｓｃｅｎｃｅ）パネル等を備えていてもよい。また、表示パネル２０は、左右方向（上下方向に直交する方向）が緩やかに湾曲していてもよい。
【００２２】
図１〜図３に示されるように、映像表示装置１０は、表示パネル２０を立設状態（設置面に対して直立した状態）で支持する第一支持部材３０および第二支持部材４０を備える。第一支持部材３０および第二支持部材４０は、表示パネル２０の下部を表裏方向（Ｙ軸方向）に横切るようにして映像表示装置１０に配置されている。
【００２３】
なお、本実施の形態における映像表示装置１０は、使用者が、表示パネル２０に対する第一支持部材３０および第二支持部材４０の配置位置および配置方向を変更することができるように構成されている（これらの詳細は後述する）。すなわち、図１〜図３に示す映像表示装置１０における第一支持部材３０および第二支持部材４０の配置位置および配置方向は、一例である。
【００２４】
以下では、第一支持部材３０および第二支持部材４０の外観を、図１〜図３に示すように映像表示装置１０に配置したときを例に挙げて説明する。しかし、本実施の形態に示す映像表示装置１０では、例えば、第一支持部材３０および第二支持部材４０の配置方向を図１〜図３に示す配置方向とは前後が逆になるように（すなわち、反転して）配置することができる。あるいは、第一支持部材３０と第二支持部材４０とを、図１〜図３に示す配置位置から互いに入れ替えることもできる。そのような場合は、以下の説明において、「前面」を「背面」に、「背面」を「前面」に、また「内方」を「外方」に、「外方」を「内方」に、それぞれ適宜読み替えればよい。
【００２５】
第一支持部材３０および第二支持部材４０は、例えば図１〜図３に示すように映像表示装置１０に配置したときには、図２に示すように、表示パネル２０の背面から遠ざかるにつれて、表示パネル２０の内方に向けて弓状に湾曲する形状を有する。また、第一支持部材３０および第二支持部材４０は、表示パネル２０の前面側に関しては、直線状の形状を有する。したがって、第一支持部材３０および第二支持部材４０は、表示パネル２０の表裏方向（Ｙ軸方向）で非対称な形状を有する。また、第一支持部材３０と第二支持部材４０とは、表示パネル２０の幅方向（Ｘ軸方向）に関して互いに鏡像対称（面対称）の形状を有する。
【００２６】
なお、第一支持部材３０および第二支持部材４０は、表示パネル２０の幅方向（Ｘ軸方向）に関して互いに鏡像対称とならないように、映像表示装置１０に配置することもできる（図示せず）。また、第一支持部材３０および第二支持部材４０の鏡像対称性は、本実施の形態における必須事項ではない。第一支持部材３０の形状および第二支持部材４０の形状は、表示パネル２０の幅方向（Ｘ軸方向）に関して互いに鏡像対称でなくてもよい。
【００２７】
図４に示されるように、映像表示装置１０は、表示パネル２０と第一支持部材３０との間を嵌合によって介在する第一取り付け部材５０、および表示パネル２０と第二支持部材４０との間を嵌合によって介在する第二取り付け部材６０を備える。第一取り付け部材５０および第二取り付け部材６０の嵌合の詳細については後述する。
【００２８】
表示パネル２０の背面は、４つの領域に区画されている（図示せず）。具体的には、表示パネル２０の幅方向（Ｘ軸方向）の一方の側（表示パネル２０の中心を通るＺ軸に平行な中心線（図４に破線で示す）に対してＸ軸正方向側の領域）における外方が第一領域であり、内方が第二領域である。なお、外方とは、表示パネル２０の中心線から相対的に遠い領域のことであり、内方とは、表示パネル２０の中心線に相対的に近い領域のことである。また、表示パネル２０の幅方向（Ｘ軸方向）の他方の側（表示パネル２０の中心線に対してＸ軸負方向側の領域）における外方が第三領域であり、内方が第四領域である。したがって、第一領域から第四領域は、表示パネル２０の背面において、Ｘ軸負方向に、第一領域、第二領域、第四領域、第三領域の順に配列される。なお、これら第一領域から第四領域は、図示はしないが、例えば、表示パネル２０の背面を幅方向（Ｘ軸方向）に四等分に区画して設定されてもよい。なお、第一領域から第四領域は、表示パネル２０の背面を四等分に区画した領域に限定されない。例えば、表示パネル２０の背面において、幅方向（Ｘ軸方向）に、一方の端から、第一領域、第二領域、第四領域、第三領域の順に並ぶように各領域が設定されていれば、表示パネル２０の背面は等分に区画されていなくてもよい。
【００２９】
図３、図４に示されるように、表示パネル２０の背面には、第一領域に第一装着部７０が設けられ、第二領域に第二装着部８０が設けられ、第三領域に第三装着部９０が設けられ、第四領域に第四装着部１００が設けられている。第一装着部７０、第二装着部８０、第三装着部９０、および第四装着部１００は、表示パネル２０の背面の下部に設けられている。そして、第一装着部７０は、表示パネル２０の背面のＸ軸正方向側の縁部の近傍に設けられている。第二装着部８０は、表示パネル２０の背面の第二領域における第一領域との境界近傍（例えば、表示パネル２０のＸ軸正方向側の縁部から、表示パネル２０の横幅の４分の１の場所）に設けられている。第三装着部９０は、表示パネル２０の背面のＸ軸負方向側の縁部の近傍に設けられている。第四装着部１００は、表示パネル２０の背面の第四領域における第三領域との境界近傍（例えば、表示パネル２０のＸ軸負方向側の縁部から、表示パネル２０の横幅の４分の１の場所）に設けられている。
【００３０】
なお、第一装着部７０は、第一領域内にあれば、どの位置に設けてもよい。同様に、第二装着部８０、第三装着部９０、および第四装着部１００は、それぞれ、第二領域内、第三領域内、および第四領域内にあれば、どの位置に設けてもよい。また、各領域内に複数の装着部を設けてもよい。例えば、第一領域に、第一装着部７０を２つ以上設けてもよい。
【００３１】
第一装着部７０、第二装着部８０、第三装着部９０、および第四装着部１００は、第一取り付け部材５０および第二取り付け部材６０のうちのいずれかと嵌合する。
【００３２】
実施の形態１における映像表示装置１０では、第一取り付け部材５０および第二取り付け部材６０は、それぞれ、第一装着部７０、第二装着部８０、第三装着部９０、および第四装着部１００のいずれとも嵌合が可能な構造を有する。この嵌合の詳細については後述する。
【００３３】
なお、第一取り付け部材５０および第二取り付け部材６０は、それぞれ、第一装着部７０、第二装着部８０、第三装着部９０、および第四装着部１００のうちの特定のものとのみ嵌合可能であってもよい。そのような場合の詳細は後述する。
【００３４】
なお、図４には、一例として、第一装着部７０に第一取り付け部材５０が嵌合され、第三装着部９０に第二取り付け部材６０が嵌合される場合の分解斜視図を示す。
【００３５】
図５は、実施の形態１における映像表示装置１０のデザイン変更後の外観の一例を模式的に示す正面図である。
【００３６】
図６は、実施の形態１における映像表示装置１０のデザイン変更後の外観の一例を模式的に示す上面図である。
【００３７】
上述したように、映像表示装置１０では、第一取り付け部材５０および第二取り付け部材６０は、それぞれ、第一装着部７０、第二装着部８０、第三装着部９０、および第四装着部１００のいずれとも嵌合可能である。図５および図６には、第一取り付け部材５０を第二装着部８０と嵌合させ、第二取り付け部材６０を第四装着部１００と嵌合させた場合の、映像表示装置１０の外観の一例を示す。なお、図５および図６に示す例では、図１〜図４に示した例と同様に、第一取り付け部材５０に第一支持部材３０が嵌合され、第二取り付け部材６０に第二支持部材４０が嵌合されている。
【００３８】
図１と図５との比較、および図２と図６との比較からわかるように、第一取り付け部材５０および第二取り付け部材６０の取り付け位置が変更されることで、映像表示装置１０のデザイン（外観）が大きく変化する。例えば、図１および図２に示された外観の映像表示装置１０は、幅広で重厚な印象を使用者に与えることができる。一方、図５および図６に示された外観の映像表示装置１０は、スリムな印象を使用者に与えることができ、また、表示パネル２０があたかも浮遊しているかのような印象を使用者に与えることができる。
【００３９】
そして、本実施の形態における映像表示装置１０では、第一取り付け部材５０および第二取り付け部材６０の取り付け位置の変更を、使用者が容易に行うことができる。
【００４０】
［１−２．第一装着部〜第四装着部の構成］
次に、図７〜図９を参照しながら、実施の形態１に係る映像表示装置１０の第一装着部７０、第二装着部８０、第三装着部９０、および第四装着部１００の構成について説明する。なお、第二装着部８０、第三装着部９０、および第四装着部１００の構成は、第一装着部７０の構成と実質的に同じであるので、ここでは、第一装着部７０を説明し、他の装着部に関する説明は省略する（第二装着部８０に関しては後述の図２３Ｂを参照）。
【００４１】
図７は、実施の形態１における映像表示装置１０の第一支持部材３０に固定された第一取り付け部材５０から第一装着部７０を取り外した状態の一例を模式的に示す分解図である。なお、図７には、第一装着部７０を背面側から見た図を示す。
【００４２】
図８は、図７に示した第一装着部７０および第一取り付け部材５０を拡大して示す斜視図である。
【００４３】
図９は、実施の形態１における映像表示装置１０の第一装着部７０と第一取り付け部材５０との嵌合状態の一例を模式的に示す水平断面図である。
【００４４】
図７、図８に示されるように、第一装着部７０には、溝部７１が設けられている。そして、溝部７１に第一取り付け部材５０の挿入部５１が挿入されて、溝部７１と挿入部５１とが嵌合される（図９を参照）。
【００４５】
また、図８および図９に示されるように、溝部７１は、底壁７２、側壁７４、および上壁７５を備えて構成されている。底壁７２は、表示パネル２０の幅方向（Ｘ軸方向）に平行であり、上下方向（Ｚ軸方向）に細長く延伸している。側壁７４は、底壁７２のＸ軸負方向側の側縁部に沿って延伸しており、表示パネル２０の裏側に向かう方向（Ｙ軸正方向）に向けて立設している。なお、図８に示す例では、側壁７４は底壁７２の側縁部の一部分に沿って延伸しているが、側壁７４は底壁７２の側縁部全体に沿って延伸していてもよい。上壁７５は、側壁７４の上縁部に沿って延伸し、側壁７４の内側に向けて（Ｘ軸負方向に向けて）立設している。なお、図８に示す例では、上壁７５は側壁７４の上縁部全体に沿って延伸しているが、上壁７５は側壁７４の上縁部の一部分に沿って延伸していてもよい。
【００４６】
そして、底壁７２、側壁７４、および上壁７５に囲まれた空間の中に、第一取り付け部材５０の挿入部５１が挿入される（図９を参照）。
【００４７】
また、図７、図８に示されるように、溝部７１の底壁７２には、第一取り付け部材５０を溝部７１に嵌合させた状態で底壁７２に固定するためのねじ孔７６が設けられている。
【００４８】
図８に示されるように、第一装着部７０の下部には、第一取り付け部材５０の挿入部５１を溝部７１へ容易に挿入できるようにするための一対のガイド板７９が設けられている。ガイド板７９は、底壁７２の下部の両側に沿って延伸し、表示パネル２０の裏側に向かう方向（Ｙ軸正方向）に向けて立設している。ガイド板７９の下部は、ガイド板７９とガイド板７９との間の幅を広げるように外に向かって折り曲げられている。
【００４９】
第一装着部７０は、表示パネル２０の本体の背面に、ねじ止めにより固定されている。
【００５０】
なお、溝部７１の構造は、図８に示した構造に限定されない。溝部７１は、第一取り付け部材５０および第二取り付け部材６０の挿入部５１が挿入され嵌合されるように形成されていれば、任意の構造とすることが可能である。
【００５１】
なお、第一装着部７０、第二装着部８０、第三装着部９０、および第四装着部１００の材料は特に限定されるものではなく、金属または樹脂等、適切な強度を有する材料であればどのような材料が用いられてもよい。
【００５２】
［１−３．第一取り付け部材および第二取り付け部材の構成］
次に、図７〜図１１を参照しながら、実施の形態１に係る映像表示装置１０の第一取り付け部材５０および第二取り付け部材６０の構成について説明する。なお、第二取り付け部材６０の構成は第一取り付け部材５０の構成と実質的に同じであるので、ここでは、第一取り付け部材５０を説明し、第二取り付け部材６０に関する説明は省略する。
【００５３】
図１０は、実施の形態１における映像表示装置１０の第一取り付け部材５０に対する第一支持部材３０の組み合わせの方向の一例を模式的に示す背面図である。
【００５４】
図１１は、実施の形態１における映像表示装置１０の第一嵌合部５２に対する第三嵌合部３１の勘合方向の一例を模式的に示す図である。図１１には、第一支持部材３０および第一取り付け部材５０の部分拡大図を示す。第一支持部材３０の部分拡大図は、第一支持部材３０のうち、第一取り付け部材５０が取り付けられる領域（図４参照）を拡大して示した上面図であり、この領域に第三嵌合部３１が設けられている。また、第一取り付け部材５０の部分拡大図は、第一取り付け部材５０のうち、第三嵌合部３１に嵌合する領域（図４参照）を拡大して示した底面図であり、この領域に第一嵌合部５２が設けられている。なお、図１１に示した第一取り付け部材５０に関するＸ軸、Ｙ軸、Ｚ軸は、第一取り付け部材５０を第一装着部７０に装着したときの各軸の方向を示している。
【００５５】
図７に示されるように、第一取り付け部材５０は、上部に挿入部５１を有し、下部に第一嵌合部５２を有する。
【００５６】
図８および図９に示されるように、挿入部５１は、側壁５５、側壁５６、および底壁５７を備えて構成され、水平面（Ｘ−Ｙ平面に平行な面）の断面がＵ字形状であり、上下方向（Ｚ軸方向）に延伸している。
【００５７】
具体的には、底壁５７は、表示パネル２０の幅方向（Ｘ軸方向）に平行であり、上下方向（Ｚ軸方向）に細長く延伸している。側壁５５は、底壁５７のＸ軸正方向側の側縁部に沿って延伸しており、表示パネル２０の裏側に向かう方向（Ｙ軸正方向）に向けて立設している。一方、側壁５６は、底壁５７のＸ軸負方向側の側縁部に沿って延伸しており、表示パネル２０の裏側に向かう方向（Ｙ軸正方向）に向けて立設している。
【００５８】
そして、図９に示されているように、第一取り付け部材５０の側壁５５および側壁５６は、第一取り付け部材５０を第一装着部７０の溝部７１に挿入したときに、側壁５５の上端部（Ｙ軸正方向側の端部）および側壁５６の上端部（Ｙ軸正方向側の端部）が、第一装着部７０の上壁７５の内壁面（Ｙ軸負方向側の壁面）に接するかまたはわずかに接しない程度の大きさに形成されている。すなわち、第一取り付け部材５０の側壁５５および側壁５６の各々の上端部は、第一装着部７０の上壁７５の内壁面よりもＹ軸負方向側にある。そのため、第一取り付け部材５０の挿入部５１を、上壁７５に阻まれることなく、溝部７１の内部に挿入することができる。
【００５９】
また、第一取り付け部材５０の挿入部５１には、挿入部５１を第一装着部７０の溝部７１に嵌合させた状態で底壁７２に固定するためのねじ孔５４が設けられている（図７、図８を参照）。したがって、ねじ孔７６およびねじ孔５４は、第一装着部７０と第一取り付け部材５０とが嵌合された状態にあるときに、第一装着部７０のねじ孔７６と第一取り付け部材５０のねじ孔５４とが連通するように、設けられている。
【００６０】
さらに、図７に示されるように、第一取り付け部材５０の挿入部５１の先端部には切り欠きが設けられている。切り欠きの両側の形状は、切り欠きの中心線（Ｚ軸に平行な中心線、図示せず）に対して幅方向（Ｘ軸方向）に非対称になっている。
【００６１】
なお、図示はしないが、第二取り付け部材６０の挿入部の先端部の形状を、第一取り付け部材の挿入部５１の先端部の形状と異なるように、切り欠きの中心線に対して非対称な形状（例えば、第一取り付け部材５０の切り欠きと鏡像対称）としてもよい。その場合、第一取り付け部材５０と第二取り付け部材６０とを目視により判別することが容易になるので、使用者の利便性を向上することができる。
【００６２】
また、図７に示されるように、第一取り付け部材５０は、挿入部５１とは上下方向（Ｚ軸方向）に反対側の端部に、第一支持部材３０の第三嵌合部３１（図１１参照）と嵌合する第一嵌合部５２を有する。すなわち、第一嵌合部５２は、第一取り付け部材５０の下部に設けられている。
【００６３】
図１１に示されるように、第一嵌合部５２には、第一支持部材３０の接触面３２と接触する接触面５８が設けられている。接触面５８は、第一取り付け部材５０の底面に設けられ、略矩形の形状を有する。
【００６４】
接触面５８には、凸部５３が設けられている。凸部５３は、第一取り付け部材５０を第一装着部７０に装着したときに、接触面５８の幅方向（Ｘ軸方向）に関して中心線（図１１に一点鎖線で示す）よりもＸ軸正方向側に偏在するように設けられている。凸部５３は、接触面５８の長手方向（Ｙ軸方向）に関しては、中央付近に設けられていてもよい。また、凸部５３は、第一取り付け部材５０を第一装着部７０に装着したときに、下方（Ｚ軸負方向）に向けて突出するように形成されている。凸部５３の水平面（Ｘ−Ｙ平面に平行な面）の断面形状は、接触面５８の長手方向（Ｙ軸方向）に延伸する長辺を持つ矩形である。
【００６５】
なお、実施の形態１では、第二取り付け部材６０における第二支持部材４０との嵌合部分を、第二嵌合部という。
【００６６】
第一取り付け部材５０および第二取り付け部材６０の材料は、特に限定されるものではなく、金属または樹脂等、適切な強度を有する材料であればどのような材料が用いられてもよい。第一取り付け部材５０および第二取り付け部材６０は、金属を材料として形成されている場合、「スタンドメタル」と呼ばれることがある。
【００６７】
［１−４．第一支持部材および第二支持部材の構成］
次に、第一支持部材３０および第二支持部材４０の構成について説明する。なお、第二支持部材４０の構成は第一支持部材３０の構成と実質的に同じであるので、ここでは、第一支持部材３０を説明し、第二支持部材４０に関する説明は省略する。
【００６８】
また、ここでは、まず、図１０、図１１に示されるように、第一取り付け部材５０の凸部５３が、第一支持部材３０の凹部３３に嵌合する場合を説明する。
【００６９】
図１０に示されるように、第一支持部材３０は、ベース部３５と脚部３６とを備えて構成される。図１１に示されるように、ベース部３５には、第一取り付け部材５０の第一嵌合部５２と嵌合する第三嵌合部３１が設けられている。脚部３６は、映像表示装置１０を設置する設置面と接触し、映像表示装置１０を実質的に支える部分である。
【００７０】
図１１に示されるように、第一支持部材３０のベース部３５の上面にある第三嵌合部３１には、第一取り付け部材５０の接触面５８と接触する接触面３２が設けられている。第一支持部材３０の接触面３２の形状は、第一取り付け部材５０の接触面５８とほぼ同じ大きさの略矩形である。
【００７１】
接触面３２には、一対の凹部３３および凹部３４が設けられている。凹部３３および凹部３４は、接触面３２の長手方向（Ｙ軸方向）に関しては接触面３２のほぼ中央に位置するように配置され、接触面３２の幅方向（Ｘ軸方向）に関しては中心線（図１１に一点鎖線で示す）に対して互いに線対称となるように配置されている。すなわち、第三嵌合部３１は、接触面３２の中心（図示せず）に対して点対称の一対の凹部３３および凹部３４を有する。
【００７２】
凹部３３および凹部３４は、下方（Ｚ軸負方向）に向けて窪んでおり、その窪みの深さは、第一取り付け部材５０の第一嵌合部５２の凸部５３を嵌合できる程度に設定されている。凹部３３および凹部３４の水平面（Ｘ−Ｙ平面に平行な面）の断面形状は、凸部５３の水平面の断面形状に合わせてあり、接触面３２の長手方向（Ｙ軸方向）に延伸する長辺を持つ矩形である。なお、凹部３３および凹部３４は、凸部５３を嵌め込むことができるように形成された穴であってもよい。
【００７３】
そして、凸部５３は、第一取り付け部材５０に対する第一支持部材３０の取り付け方向に応じて、凹部３３および凹部３４のいずれか一方に嵌合する。例えば、第一取り付け部材５０が、図１、図２、および図１０に示されている状態で第一支持部材３０に取り付けられているときには、凸部５３は、図１１の一点鎖線矢印で示されるように、凹部３３に嵌合する。
【００７４】
このことは、第一取り付け部材５０に対する第一支持部材３０の取り付け方向が、図１０および図１１に示される向きのとき、凹部３３は、凸部５３の接触面５８の幅方向（Ｘ軸方向）に関する偏在に対応して、接触面３２の幅方向（Ｘ軸方向）のＸ軸正方向側に偏在している、と言い換えることができる。
【００７５】
一方、凹部３３および凹部３４が接触面３２の中心に対して点対称となるように設けられているので、第一支持部材３０は、図１０および図１１に示される状態から反転した状態（第一支持部材３０が第一取り付け部材５０に対して、図１０および図１１に示された状態からＸ−Ｙ平面上で１８０度回転した状態）であっても、第一取り付け部材５０への取り付けが可能である。そのとき、凸部５３は、凹部３４に嵌合する。この詳細は図１３を用いて後述する。
【００７６】
重複するので説明を省略するが、第一取り付け部材５０は、第一支持部材３０への取り付けと同様に第二支持部材４０への取り付けも可能である。また、第二取り付け部材６０は、第一取り付け部材５０と同様に、第一支持部材３０および第二支持部材４０のいずれにも取り付けが可能である。
【００７７】
このように、実施の形態１の映像表示装置１０において、第一支持部材３０および第二支持部材４０は、第一取り付け部材５０および第二取り付け部材６０のいずれとも嵌合可能な構造を有し、その嵌合の方向も、一方向（例えば、図１０および図１１に示した方向）に限定されない。第一支持部材３０および第二支持部材４０は、当該一方向から反転させた状態（表示パネル２０の表裏方向（Ｙ軸方向）で反転させた状態）でも、第一取り付け部材５０または第二取り付け部材６０と嵌合可能な構造を有している。
【００７８】
言い換えると、第一支持部材３０の第三嵌合部３１は、第一取り付け部材５０の第一嵌合部５２に嵌合された状態（例えば、図１０、図１１に示す状態）から、第一支持部材３０が表示パネル２０の表裏方向（Ｙ軸方向）に反転された状態になった場合でも、第一取り付け部材５０の第一嵌合部５２との嵌合が可能なように、接触面３２の中心に対して点対称の一対の凹部３３および凹部３４を有する。
【００７９】
次に、第一取り付け部材５０の凸部５３が、第一支持部材３０の凹部３４に嵌合する場合を説明する。
【００８０】
図１２は、実施の形態１における映像表示装置１０の第一取り付け部材５０に対する第一支持部材３０の組み合わせの方向の他の例を模式的に示す背面図である。図１２には、図１０に示した状態から、第一支持部材３０を反転（Ｘ−Ｙ平面上で１８０度回転）させて第一取り付け部材５０に嵌合させた状態を示している。
【００８１】
図１３は、実施の形態１における映像表示装置１０の第一嵌合部５２に対する第三嵌合部３１の勘合方向の他の例を模式的に示す図である。図１３には、図１１に示した状態から、第一支持部材３０を反転（Ｘ−Ｙ平面上で１８０度回転）させた状態を示している。なお、図１３に示した第一取り付け部材５０に関するＸ軸、Ｙ軸、Ｚ軸は、第一取り付け部材５０を第一装着部７０に装着したときの各軸の方向を示している。
【００８２】
図１３に示す例では、図１１に示した場合と比較して、第一支持部材３０がＸ−Ｙ平面上で反転しているので、第一支持部材３０の接触面３２もＸ−Ｙ平面上で１８０度回転している。そして、上述したように、映像表示装置１０では、凹部３３および凹部３４が接触面３２の中心（図示せず）に対して点対称であるため、反転前（図１１に示した状態のとき）に凹部３３に嵌合していた第一取り付け部材５０の凸部５３は、接触面３２が反転した後は、図１３の一点鎖線矢印で示されるように、凹部３４に嵌合する。
【００８３】
このことは、第一取り付け部材５０に対する第一支持部材３０の取り付け方向が、図１２および図１３に示される向きのとき、凹部３４は、凸部５３の接触面５８の幅方向（Ｘ軸方向）に関する偏在に対応して、接触面３２の幅方向（Ｘ軸方向）のＸ軸正方向側に偏在している、と言い換えることができる。
【００８４】
これにより、第一支持部材３０が反転した場合であっても、接触面５８および接触面３２の相対的な位置を幅方向（Ｘ軸方向）に関してずらすことなく、第一支持部材３０を反転させる前と同様に、接触面５８と接触面３２とが互いに揃えられて接触した状態で、凸部５３が凹部３４に嵌合される。そのため、第一取り付け部材５０は、第一支持部材３０の反転後も、第一支持部材３０に安定的に支持される。
【００８５】
なお、実施の形態１では、第二支持部材４０における第二取り付け部材６０との嵌合部分を、第四嵌合部という。
【００８６】
次に、図１２および図１３に示したように第一支持部材３０を反転したときの映像表示装置１０の外観を説明する。
【００８７】
図１４は、実施の形態１における映像表示装置１０のデザイン変更後の外観の一例を模式的に示す正面図である。
【００８８】
図１５は、実施の形態１における映像表示装置１０のデザイン変更後の外観の一例を模式的に示す上面図である。
【００８９】
図１４および図１５には、それぞれ、図１および図２に示した状態から、第一支持部材３０および第二支持部材４０を反転（Ｘ−Ｙ平面上で１８０度回転）させた場合の映像表示装置１０の外観の一例を示す。
【００９０】
図１と図１４との比較、および図２と図１５との比較からわかるように、第一支持部材３０および第二支持部材４０を反転させる前と反転させた後とでは、映像表示装置１０のデザイン（外観）が大きく変化する。例えば、図１４に示された外観の映像表示装置１０は、幅広で裾野の広い扁平なイメージを使用者に与えることができる。
【００９１】
図１６Ａ〜１６Ｈの各図は、実施の形態１に係る映像表示装置１０のデザイン変更例を示す上面図である。図１６Ａは、実施の形態１における映像表示装置１０の外観の一例を模式的に示す上面図である。図１６Ｂは、実施の形態１における映像表示装置１０の外観の他の一例を模式的に示す上面図である。図１６Ｃ〜１６Ｈの各図は、実施の形態１における映像表示装置１０の外観のさらに他の一例を模式的に示す上面図である。
【００９２】
上述したように、本実施の形態における映像表示装置１０では、第一取り付け部材５０を第一装着部７０〜第四装着部１００のいずれかに取り付けることができ、第二取り付け部材６０を残りの装着部のいずれかに取り付けることができる。また、第一取り付け部材５０を第一支持部材３０および第二支持部材４０の一方に嵌合させ、第二取り付け部材６０を他方に嵌合させることができる。さらに、第一支持部材３０（または第二支持部材４０）を第一取り付け部材５０（または第二取り付け部材６０）に、反転して嵌合させることもできる。これにより、使用者は、映像表示装置１０のデザイン（外観）を、例えば図１６Ａ〜１６Ｈに示す８通りの組み合わせの中から任意に選択し、そのデザインに合わせて使用者自らが第一支持部材３０および第二支持部材４０等の付け直しを行うことができる。
【００９３】
なお、実施の形態１に示す映像表示装置１０では、第一取り付け部材５０および第二取り付け部材６０を、表示パネル２０の中心線（図４に破線で示す）に対して非対称になるように第一装着部７０〜第四装着部１００に取り付けることも可能であるが、図１６Ａ〜１６Ｈの各図には、第一取り付け部材５０および第二取り付け部材６０を、表示パネル２０の中心線に対して対称になるように第一装着部７０〜第四装着部１００に取り付ける例を示している。
【００９４】
なお、図１６Ａ〜１６Ｈに示した第一取り付け部材５０および第二取り付け部材６０の取り付け位置、第一取り付け部材５０および第二取り付け部材６０と第一支持部材３０および第二支持部材４０との組み合わせ、第一支持部材３０および第二支持部材４０の取り付け方向、のそれぞれを具体的に説明すると、以下のようになる。
（１）第一取り付け部材５０および第二取り付け部材６０を、表示パネル２０の幅方向における外方（中心線から相対的に遠い方）の２箇所に取り付けるのか、または、内方（中心線に相対的に近い方）の２箇所に取り付けるのか、の２通りの組み合わせ。
（２）第一取り付け部材５０と第一支持部材３０とを嵌合させ、第二取り付け部材６０と第二支持部材４０とを嵌合させるのか、または、第一取り付け部材５０と第二支持部材４０とを嵌合させ、第二取り付け部材６０と第一支持部材３０とを嵌合させるのか、の２通りの組み合わせ。
（３）第一支持部材３０および第二支持部材４０を表示パネル２０の表裏方向（Ｙ軸方向）に反転させるのか、または反転させないのか、の２通りの組み合わせ。
【００９５】
これにより、映像表示装置１０では、第一支持部材３０および第二支持部材４０の配置位置に関して、例えば図１６Ａ〜１６Ｈに示されるように、２の３乗＝８通りの組み合わせが可能となる。
【００９６】
なお、第一支持部材３０および第二支持部材４０の材料は特に限定されるものではなく、金属、樹脂、またはガラス等、適切な強度を有する材料であればどのような材料が用いられてもよい。また、映像表示装置１０のデザインや、使用者に感じさせたい質感等に応じて材料が選択されてもよい。例えば、第一支持部材３０および第二支持部材４０には、金属の骨格に樹脂をコーティングしたものが用いられてもよい。
【００９７】
なお、第一支持部材３０および第二支持部材４０は、「ペデスタル」と呼ばれることがある。
【００９８】
なお、映像表示装置１０において、凸部５３と、凹部３３および凹部３４とは、凹凸が互いに逆に形成されてもよい。すなわち、凹部３３および凹部３４に代えて凸部が形成され、凸部５３に代えて凹部が形成されてもよい。あるいは、接触面５８の構造と接触面３２の構造とが互いに入れ替わっていてもよい。
【００９９】
［１−５．効果等］
以上のように、本実施の形態において、映像表示装置は、映像を表示する表示パネルと、表示パネルを立設状態で支持する第一支持部材および第二支持部材と、第一支持部材および第二支持部材の一方と表示パネルとの間を嵌合によって介在する第一取り付け部材と、第一支持部材および第二支持部材の他方と表示パネルとの間を嵌合によって介在する第二取り付け部材と、表示パネルの背面に設けられ、第一取り付け部材および第二取り付け部材の少なくとも一方と嵌合する構造を有する第一装着部、第二装着部、第三装着部、および第四装着部と、を備える。そして、表示パネルの背面の幅方向の一方の端部から他方の端部に向かって、第一装着部、第二装着部、第四装着部、第三装着部、の順に設けられている。
【０１００】
なお、映像表示装置１０は映像表示装置の一例である。表示パネル２０は表示パネルの一例である。第一支持部材３０は第一支持部材の一例である。第二支持部材４０は第二支持部材の一例である。第一取り付け部材５０は第一取り付け部材の一例である。第二取り付け部材６０は第二取り付け部材の一例である。第一装着部７０は第一装着部の一例である。第二装着部８０は第二装着部の一例である。第三装着部９０は第三装着部の一例である。第四装着部１００は第四装着部の一例である。
【０１０１】
例えば、実施の形態１に示した例では、映像表示装置１０は、映像を表示する表示パネル２０と、表示パネル２０を立設状態で支持する第一支持部材３０および第二支持部材４０と、第一支持部材３０および第二支持部材４０の一方と表示パネル２０との間を嵌合によって介在する第一取り付け部材５０と、第一支持部材３０および第二支持部材４０の他方と表示パネル２０との間を嵌合によって介在する第二取り付け部材６０と、表示パネル２０の背面に設けられ、第一取り付け部材５０および第二取り付け部材６０の少なくとも一方と嵌合する構造を有する第一装着部７０、第二装着部８０、第三装着部９０、および第四装着部１００と、を備える。そして、表示パネル２０の背面の幅方向の一方の端部から他方の端部に向かって、第一装着部、第二装着部、第四装着部、第三装着部、の順に設けられている。
【０１０２】
以上のように構成された映像表示装置１０では、例えば、図１と図５との比較、および図２と図６との比較からわかるように、使用者が第一取り付け部材５０および第二取り付け部材６０を第一装着部７０〜第四装着部１００の間で付け替えることが可能となる。そのため、使用者が容易に映像表示装置１０のデザイン（外観）を変更することが可能になる。例えば、映像表示装置１０の周囲に置物等がある場合に、使用者は、その置物に第一支持部材３０または第二支持部材４０が接触しないように第一支持部材３０および第二支持部材４０の配置を変えることができる。また、使用者は、映像表示装置１０の設置場所の大きさや形状に合わせて、第一支持部材３０および第二支持部材４０の配置を適切に変更することができる。
【０１０３】
映像表示装置において、第一支持部材および第二支持部材は、表示パネルの下部を、表示パネルの表裏方向に横切るように配置されてもよく、表示パネルの表裏方向に関して非対称な形状を有していてもよい。
【０１０４】
例えば、実施の形態１に示した例では、映像表示装置１０において、第一支持部材３０および第二支持部材４０は、表示パネル２０の下部を、表示パネル２０の表裏方向に横切るように配置され、かつ、表示パネル２０の表裏方向に関して非対称な形状を有する。
【０１０５】
このように構成された映像表示装置１０では、第一支持部材３０および第二支持部材４０が表示パネル２０の表裏方向（Ｙ軸方向）に関して非対称な形状を有するので、それらが非対称でない（すなわち対称な形状を有する）場合と比較して、映像表示装置１０のデザインのバリエーションを増やすことができる。
【０１０６】
映像表示装置において、第一支持部材は、第一取り付け部材および第二取り付け部材の一方の取り付け部材と嵌合した状態から、第一支持部材が表示パネルの表裏方向に反転した後も当該一方の取り付け部材と嵌合することが可能な構造を有していてもよい。第二支持部材は、第一取り付け部材および第二取り付け部材の他方の取り付け部材と嵌合した状態から、第二支持部材が表示パネルの表裏方向に反転した後も当該他方の取り付け部材と嵌合することが可能な構造を有していてもよい。
【０１０７】
例えば、実施の形態１に示した例では、映像表示装置１０において、第一支持部材３０は、第一取り付け部材５０および第二取り付け部材６０の一方の取り付け部材と嵌合した状態から、第一支持部材３０が表示パネル２０の表裏方向に反転した後も当該一方の取り付け部材と嵌合することが可能な構造を有する。第二支持部材４０は、第一取り付け部材５０および第二取り付け部材６０の他方の取り付け部材と嵌合した状態から、第二支持部材４０が表示パネル２０の表裏方向に反転した後も当該他方の取り付け部材と嵌合することが可能な構造を有する。
【０１０８】
このように構成された映像表示装置１０では、使用者が、第一支持部材３０および第二支持部材４０を、当初の設置状態から反転させる（映像表示装置１０の設置面上で１８０度回転させる）ことが可能になる。これにより、映像表示装置１０では、使用者による映像表示装置１０のデザイン変更時のバリエーションを増やすことができる。
【０１０９】
映像表示装置において、第一取り付け部材は第一嵌合部を有し、第二取り付け部材は第二嵌合部を有してもよい。第一嵌合部および第二嵌合部は、表示パネルの幅方向に偏在する凸形状または凹形状を有してもよい。第一支持部材は第三嵌合部を有し、第二支持部材は第四嵌合部を有してもよい。第三嵌合部および第四嵌合部は、第一取り付け部材または第二取り付け部材の当該凸形状または凹形状と嵌合した状態から、第一支持部材または第二支持部材が表示パネルの表裏方向に反転した後も当該凸形状または凹形状と嵌合することが可能な、一対の凹形状または凸形状を有してもよい。
【０１１０】
なお、第一嵌合部５２は第一嵌合部の一例である。凸部５３は、第一嵌合部および第二嵌合部が有する凸形状または凹形状の一例である。第三嵌合部３１は第三嵌合部の一例である。凹部３３および凹部３４は、第三嵌合部および第四嵌合部が有する一対の凹形状または凸形状の一例である。
【０１１１】
例えば、実施の形態１に示した例では、映像表示装置１０において、第一取り付け部材５０は第一嵌合部５２を有し、第二取り付け部材６０は第一嵌合部５２と同様の第二嵌合部（図示せず）を有する。第一嵌合部５２および第二嵌合部の各々は、表示パネル２０の幅方向に偏在する凸部５３を有する。第一支持部材３０は第三嵌合部３１を有し、第二支持部材４０は第三嵌合部３１と同様の第四嵌合部（図示せず）を有する。第三嵌合部３１および第四嵌合部の各々は、第一取り付け部材５０または第二取り付け部材６０の凸部５３と嵌合した状態から、第一支持部材３０または第二支持部材４０が表示パネル２０の表裏方向に反転した後も凸部５３と嵌合することが可能な、一対の凹部３３および凹部３４を有する。
【０１１２】
このように構成された映像表示装置１０では、第一取り付け部材５０および第二取り付け部材６０を第一装着部７０〜第四装着部１００のいずれかに取り付けた状態のままで、第一支持部材３０および第二支持部材４０を当初の設置状態から反転させる（映像表示装置１０の設置面上で１８０度回転させる）ことが可能になる。これにより、図１と図１４との比較、および図２と図１５との比較からわかるように、使用者が容易に映像表示装置１０のデザインを変更することが可能になる。
【０１１３】
映像表示装置において、第一装着部は第一溝部を有し、第二装着部は第二溝部を有し、第三装着部は第三溝部を有し、第四装着部は第四溝部を有していてもよい。第一溝部、第二溝部、第三溝部、および第四溝部の各々は、第一取り付け部材および第二取り付け部材のいずれかが挿入されて嵌合するように構成されていてもよい。
【０１１４】
なお、第一装着部７０の溝部７１は、第一溝部の一例である。第二装着部８０の溝部は、第二溝部の一例である。第三装着部９０の溝部は、第三溝部の一例である。第四装着部１００の溝部は、第四溝部の一例である。
【０１１５】
例えば、実施の形態１に示した例では、映像表示装置１０において、第一装着部７０は溝部７１を有し、第二装着部８０は溝部７１と同様の第二溝部を有し、第三装着部９０は溝部７１と同様の第三溝部を有し、第四装着部１００は溝部７１と同様の第四溝部を有する。溝部７１、第二溝部、第三溝部、および第四溝部の各々は、第一取り付け部材５０および第二取り付け部材６０のいずれかが挿入されて嵌合するように構成されている。
【０１１６】
このように構成された映像表示装置１０では、使用者は、第一取り付け部材５０および第二取り付け部材６０を、第一溝部〜第四溝部のいずれかに挿入することで第一装着部７０〜第四装着部１００のいずれかに装着することができる。これにより、使用者は、第一取り付け部材５０および第二取り付け部材６０を、第一溝部〜第四溝部のいずれかから他のいずれかに挿入し直すといった比較的簡単な作業により、映像表示装置１０のデザインを変更することが可能になる。
【０１１７】
（実施の形態１の変形例）
上述の実施の形態１では、表示パネル２０が、映像表示装置１０の設置面（Ｘ−Ｙ平面）に対して垂直に立設される構成例を説明した。しかし、本開示は何らこの構成に限定されない。映像表示装置は、表示パネル２０を、設置面（Ｘ−Ｙ平面）に対して仰角を有するように、垂直から傾いた状態で支持してもよい。すなわち、第一支持部材および第二支持部材は、表示パネル２０を、Ｚ軸に対して傾いた状態で支持してもよい。実施の形態１の変形例では、このような構成例、すなわち、表示パネル２０が設置面（Ｘ−Ｙ平面）に対して仰角を有するように映像表示装置に配置される構成例を、図１７Ａ〜図１７Ｊを用いて説明する。
【０１１８】
なお、実施の形態１の変形例に示す映像表示装置１１０は、傾斜部材を有する点と、第一取り付け部材および第二取り付け部材が直角でない点とを除き、実施の形態１に示した映像表示装置１０と実質的に同じである。以下では、実施の形態１で説明した事項については適宜説明を省略し、実施の形態１と相違する点を主に説明する。
【０１１９】
なお、以下の説明では、実施の形態１に示した映像表示装置１０が備える構成要素と実質的に同じ構成要素については、その構成要素と同じ符号を付与して、その説明を省略する場合がある。
【０１２０】
［２−１．構成］
図１７Ａは、実施の形態１の変形例における傾斜部材を取り付けた第一支持部材１３０および第二支持部材１３１の外観の一例を模式的に示す上面図である。
【０１２１】
図１７Ｂは、実施の形態１の変形例における傾斜部材を取り付けた第一支持部材１３０および第二支持部材１３１の外観の一例を模式的に示す斜視図である。
【０１２２】
図１７Ａ、図１７Ｂに示すように、実施の形態１の変形例において、第一支持部材１３０は、脚部１３６とベース部１３５とを備えて構成され、第二支持部材１３１は、脚部１３８とベース部１３７とを備えて構成されている。さらに、本変形例では、第一支持部材１３０は傾斜部材１３０Ａを備え、第二支持部材１３１は傾斜部材１３１Ａを備えている。
【０１２３】
傾斜部材１３０Ａは、第一支持部材１３０のベース部１３５の上面に配置され、傾斜部材１３１Ａは、第二支持部材１３１のベース部１３７の上面に配置されている。したがって、後述するように、傾斜部材１３０Ａは、第一支持部材１３０のベース部１３５の上面と第一取り付け部材１２０（または第二取り付け部材１２１）の接触面５８（図１７Ｃ参照）との間に挟まれ、傾斜部材１３１Ａは、第二支持部材１３１のベース部１３７の上面と第二取り付け部材１２１（または第一取り付け部材１２０）の接触面５８との間に挟まれる。
【０１２４】
本変形例において、傾斜部材１３０Ａは、略矩形の薄い板状の部材であるが、傾斜部材１３０Ａの上面（第一取り付け部材１２０または第二取り付け部材１２１の接触面５８と接触する面）と傾斜部材１３０Ａの底面（ベース部１３５の上面と接触する面）とは互いに平行ではない。傾斜部材１３０Ａの上面は、第一支持部材１３０の脚部１３６側に傾斜するように、傾斜部材１３０Ａの底面に対して、例えば１．５度の傾きを有する。したがって、本変形例では、傾斜部材１３０Ａの上面に接触する第一取り付け部材１２０（または第二取り付け部材１２１）の接触面５８は、設置面（Ｘ−Ｙ平面）に対して、平行ではなく、第一支持部材１３０の脚部１３６側に１．５度傾斜する。
【０１２５】
傾斜部材１３１Ａは、傾斜部材１３０Ａと実質的に同じ形状を有する。したがって、傾斜部材１３１Ａの上面に接触する第二取り付け部材１２１（または第一取り付け部材１２０）の接触面５８も、設置面（Ｘ−Ｙ平面）に対して、平行ではなく、第二支持部材１３１の脚部１３８側に１．５度傾斜する。
【０１２６】
図１７Ｃは、実施の形態１の変形例における第一取り付け部材１２０の外観の一例を模式的に示す斜視図である。なお、図１７Ｃには、互いに異なる角度から第一取り付け部材１２０を見たときの２枚の斜視図を示している。
【０１２７】
本変形例において、第一取り付け部材１２０の挿入部５１は、接触面５８に対して垂直ではなく８８．５度に設定されている。すなわち、第一取り付け部材１２０において、挿入部５１は、接触面５８側に垂直から１．５度傾斜している。そして、第一取り付け部材１２０は、ねじ５１Ａにより傾斜部材１３０Ａに固定される。図示しないが、第二取り付け部材１２１（図１７Ｅ参照）も、第一取り付け部材１２０と実質的に同じ形状に形成されている。
【０１２８】
次に、第一取り付け部材１２０に第一支持部材１３０を取り付け、第二取り付け部材１２１に第二支持部材１３１を取り付けるときの構成例を説明する。
【０１２９】
図１７Ｄは、実施の形態１の変形例における第一取り付け部材１２０に第一支持部材１３０を取り付けるときの側面図である。なお、図示はしないが、傾斜部材１３０Ａおよび傾斜部材１３１Ａには、第一取り付け部材１２０または第二取り付け部材１２１の接触面５８に設けられた凸部５３に嵌合する凹部が設けられている。
【０１３０】
図１７Ｅは、実施の形態１の変形例における第一取り付け部材１２０に第一支持部材１３０を取り付け、第二取り付け部材１２１に第二支持部材１３１を取り付けたときの外観の一例を模式的に示す斜視図である。
【０１３１】
図１７Ｆは、図１７Ｅに示した状態を上面から示す上面図である。なお、図１７Ｆには、第一取り付け部材１２０および第二取り付け部材１２１の一部のみ示す。
【０１３２】
図１７Ｇは、図１７Ｅに示した状態を正面から示す正面図である。
【０１３３】
図１７Ｈは、図１７Ｅに示した状態を側面面から示す側面図である。
【０１３４】
図１７Ｉは、図１７Ｅに示した状態を背面面から示す背面図である。
【０１３５】
図１７Ｊは、実施の形態１の変形例における映像表示装置１１０の外観の一例を模式的に示す側面図である。図１７Ｊには、図１７Ｅに示す第一取り付け部材１２０および第二取り付け部材１２１によって表示パネル２０が支持されるときの表示パネル２０の角度を模式的に示す。
【０１３６】
上述したように、本変形例では、第一支持部材１３０のベース部１３５の上面と、第一取り付け部材１２０の接触面５８との間に、１．５度の傾きを有する傾斜部材１３０Ａが挟まれ、第二支持部材１３１のベース部１３７の上面と、第二取り付け部材１２１の接触面５８との間に、１．５度の傾きを有する傾斜部材１３１Ａが挟まれている（図１７Ｄ〜図１７Ｉ参照）。
【０１３７】
したがって、図１７Ｊに模式的に示すように、第一取り付け部材１２０の接触面５８は、映像表示装置１１０の設置面（Ｘ−Ｙ平面）に対して、平行ではなく、映像表示装置１１０の背面側に１．５度傾斜する。同様に、第二取り付け部材１２１の接触面５８も、設置面（Ｘ−Ｙ平面）に対して、映像表示装置１１０の背面側に１．５度傾斜する（図示せず）。
【０１３８】
さらに、上述したように、第一取り付け部材１２０の挿入部５１は、接触面５８に対して、垂直ではなく、８８．５度に設定されている。第二取り付け部材１２１も同様である。
【０１３９】
これにより、図１７Ｊに示す映像表示装置１１０では、表示パネル２０は、第一取り付け部材１２０および第二取り付け部材１２１により、設置面（Ｘ−Ｙ平面）に対して、垂直ではなく、８７度の角度で支持される。すなわち、図１７Ｊに示す表示パネル２０は、垂直（Ｚ軸方向）から表示パネル２０の背面側に３度傾いた状態で支持される。したがって、映像表示装置１１０において、第一支持部材１３０が取り付けられた第一取り付け部材１２０と、第二支持部材１３１が取り付けられた第二取り付け部材１２１とによって支持される表示パネル２０の映像表示面は、設置面（Ｘ−Ｙ平面）に対して３度の仰角を有する。
【０１４０】
なお、映像表示装置１１０においては、第一取り付け部材１２０に第二支持部材１３１が取り付けられ、第二取り付け部材１２１に第一支持部材１３０が取り付けられてもよい。
【０１４１】
図１７Ｋは、実施の形態１の変形例における第一取り付け部材１２０に第二支持部材１３１を取り付けるときの側面図である。
【０１４２】
図１７Ｌは、実施の形態１の変形例における映像表示装置１１０の外観の他の一例を模式的に示す側面図である。図１７Ｌには、第二支持部材１３１が取り付けられた第一取り付け部材１２０、および第一支持部材１３０が取り付けられた第二取り付け部材１２１によって表示パネル２０が支持されるときの表示パネル２０の角度を模式的に示す。
【０１４３】
第一取り付け部材１２０に第二支持部材１３１を取り付け、第二取り付け部材１２１に第一支持部材１３０を取り付けるとき、第一支持部材１３０および第二支持部材を、図１７Ｄ〜図１７Ｉに示した状態から反転（設置面上で１８０度回転）させてもよい。この場合、傾斜部材１３０Ａおよび傾斜部材１３１Ａも、図１７Ｄ〜図１７Ｉに示した状態からを反転（設置面上で１８０度回転）する。
【０１４４】
これにより、図１７Ｌに模式的に示すように、傾斜部材１３１Ａの上面に接触する第一取り付け部材１２０の接触面５８は、設置面（Ｘ−Ｙ平面）に対して、表示パネル２０の映像表示面側に１．５度傾斜する。同様に、傾斜部材１３０Ａの上面に接触する第二取り付け部材１２１の接触面５８も、設置面（Ｘ−Ｙ平面）に対して、表示パネル２０の映像表示面側に１．５度傾斜する（図示せず）。
【０１４５】
上述したように、第一取り付け部材１２０の挿入部５１は、接触面５８に対して、垂直ではなく、８８．５度に設定されている。第二取り付け部材１２１も同様である。
【０１４６】
したがって、図１７Ｋ、図１７Ｌに示す構成例では、第一取り付け部材１２０の挿入部５１が、設置面（Ｘ−Ｙ平面）に対して成す角度は、設置面（Ｘ−Ｙ平面）に対する接触面５８の傾き（１．５度）が、接触面５８に対する挿入部５１の角度（８８．５度）に加わることで、９０度になる。第二取り付け部材１２１の挿入部５１が、設置面（Ｘ−Ｙ平面）に対して成す角度も同様である。
【０１４７】
これにより、図１７Ｌに示す映像表示装置１１０では、表示パネル２０は、第一取り付け部材１２０および第二取り付け部材１２１により、設置面（Ｘ−Ｙ平面）に対して、垂直に支持される。したがって、図１７Ｌに示す映像表示装置１１０において、第二支持部材１３１が取り付けられた第一取り付け部材１２０と、第一支持部材１３０が取り付けられた第二取り付け部材１２１とによって支持される表示パネル２０は、設置面（Ｘ−Ｙ平面）に対して垂直となる。
【０１４８】
なお、傾斜部材１３０Ａおよび傾斜部材１３１Ａが有する傾斜角度は、何ら１．５度に限定されるものではなく、他の角度であってもよい。また、傾斜部材１３０Ａおよび傾斜部材１３１Ａを設ける代わりに、ベース部１３５およびベース部１３７の各上面が設置面（Ｘ−Ｙ平面）に対して傾くように、ベース部１３５およびベース部１３７が形成されてもよい。また、第一取り付け部材１２０および第二取り付け部材１２１における、接触面５８に対する挿入部５１の角度も、何ら８８．５度に限定されるものではなく、他の角度であってもよい。
【０１４９】
なお、本変形例に一例として示したように、傾斜部材１３０Ａおよび傾斜部材１３１Ａが有する傾斜角度（例えば、１．５度）と、第一取り付け部材１２０および第二取り付け部材１２１における、接触面５８に対する挿入部５１の角度（例えば、８８．５度）との和が９０度になるように、各部材が形成されてもよい。これにより、映像表示装置１１０を使用する使用者は、第一取り付け部材１２０および第二取り付け部材１２１と、第一支持部材１３０および第二支持部材１３１との組み合わせによって、設置面（Ｘ−Ｙ平面）に対する表示パネル２０の角度を、垂直にするのか、表示パネル２０の表示面が仰角を有するように垂直から傾斜させるのかを、任意に設定できる。
【０１５０】
［２−２．効果等］
映像表示装置において、第一取り付け部材は、第一支持部材および第二支持部材の一方に支持される接触面が、当該映像表示装置が設置された設置面に対して傾斜していてもよい。第二取り付け部材は、第一支持部材および第二支持部材の他方に支持される接触面が、設置面に対して傾斜していてもよい。
【０１５１】
映像表示装置において、第一支持部材および前記第二支持部材は、第一取り付け部材または第二取り付け部材を支持する面に傾斜部材を有してもよい。
【０１５２】
映像表示装置において、設置面に対する第一取り付け部材の接触面の傾斜角度と、第一取り付け部材の接触面と第一取り付け部材の表示パネルを支持する面とが成す角度との和が９０度になるように第一取り付け部材が形成されてもよい。設置面に対する第二取り付け部材の接触面の傾斜角度と、第二取り付け部材の接触面と第二取り付け部材の表示パネルを支持する面とが成す角度との和が９０度になるように第二取り付け部材が形成されてもよい。
【０１５３】
なお、第一取り付け部材１２０は第一取り付け部材の一例である。第二取り付け部材１２１は第二取り付け部材の一例である。第一支持部材１３０は第一支持部材の一例である。第二支持部材１３１は第一支持部材の一例である。接触面５８は、第一取り付け部材の接触面の一例であり、第二取り付け部材の接触面の一例である。傾斜角度１．５度は、第一取り付け部材の接触面が設置面に対して成す傾斜角度の一例であり、第二取り付け部材の接触面が設置面に対して成す傾斜角度の一例である。ベース部１３５の上面は、第一支持部材が、第一取り付け部材または第二取り付け部材を支持する面の一例である。ベース部１３７の上面は、第二支持部材が、第一取り付け部材または第二取り付け部材を支持する面の一例である。傾斜部材１３０Ａは、第一支持部材が有する傾斜部材の一例である。傾斜部材１３１Ａは、第二支持部材が有する傾斜部材の一例である。角度８８．５度は、第一取り付け部材の接触面と第一取り付け部材の表示パネルを支持する面とが成す角度の一例であり、第二取り付け部材の接触面と第二取り付け部材の表示パネルを支持する面とが成す角度の一例である。挿入部５１の、表示パネル２０側の面は、第一取り付け部材における表示パネルを支持する面の一例であり、第二取り付け部材における表示パネルを支持する面の一例である。
【０１５４】
例えば、実施の形態１の変形例に示した例では、映像表示装置１１０において、第一取り付け部材１２０は、第一支持部材１３０および第二支持部材１３１の一方に支持される接触面５８が、映像表示装置１１０が設置された設置面（Ｘ−Ｙ平面）に対して１．５度の傾斜角度で傾斜している。第二取り付け部材１２１は、第一支持部材１３０および第二支持部材１３１の他方に支持される接触面５８が、設置面に対して１．５度の傾斜角度で傾斜している。
【０１５５】
また、実施の形態１の変形例に示した例では、映像表示装置１１０において、第一支持部材１３０は、第一取り付け部材１２０または第二取り付け部材１２１を支持する面（ベース部１３５の上面）に傾斜部材１３０Ａを有する。第二支持部材１３１は、第一取り付け部材１２０または第二取り付け部材１２１を支持する面（ベース部１３７の上面）に傾斜部材１３１Ａを有する。
【０１５６】
また、実施の形態１の変形例に示した例では、映像表示装置１１０において、設置面（Ｘ−Ｙ平面）に対する第一取り付け部材１２０の接触面５８の傾斜角度（１．５度）と、第一取り付け部材１２０の接触面５８と第一取り付け部材１２０の表示パネル２０を支持する面（挿入部５１の、表示パネル２０側の面）とが成す角度（８８．５度）との和が９０度になるように第一取り付け部材１２０が形成されている。また、設置面に対する第二取り付け部材１２１の接触面５８の傾斜角度（１．５度）と、第二取り付け部材１２１の接触面５８と第二取り付け部材１２１の表示パネル２０を支持する面とが成す角度（８８．５度）との和が９０度になるように第二取り付け部材１２１が形成されている。
【０１５７】
このように構成された映像表示装置１１０では、映像表示装置１１０を使用する使用者は、第一取り付け部材１２０および第二取り付け部材１２１と、第一支持部材１３０および第二支持部材１３１との組み合わせ、および第一支持部材１３０と第二支持部材とを反転（設置面上で１８０度回転）させるか否か、によって、映像表示装置１１０の設置面（Ｘ−Ｙ平面）に対する表示パネル２０の角度を、垂直にするのか、表示パネル２０の表示面が設置面に対して仰角を有するように垂直から傾斜させるのかを、任意に設定することが可能になる。すなわち、映像表示装置１１０では、使用者が、設置面に対する表示パネル２０の角度を含む映像表示装置１１０のデザインを、容易に変更することが可能になる。
【０１５８】
（実施の形態２）
次に、図１８〜図２２を参照しながら、実施の形態２について説明する。
【０１５９】
実施の形態１および実施の形態１の変形例では、第一支持部材および第二支持部材が、第一取り付け部材または第二取り付け部材に対して、当初の取り付け方向から反転して取り付けることができるように構成された例を示した。しかし、本開示は何らこの構成例に限定されない。実施の形態２では、第一取り付け部材または第二取り付け部材に対する、第一支持部材および第二支持部材の取り付け方向が制限される構成例を示す。なお、実施の形態２に示す映像表示装置は、実施の形態１に示した映像表示装置１０と、第一支持部材および第二支持部材の接触面（第一取り付け部材または第二取り付け部材に対する接触面）の構成が異なる点を除き、実質的に同じである。以下では、実施の形態１で説明した事項については適宜説明を省略し、実施の形態１と相違する点を主に説明する。
【０１６０】
なお、以下の説明では、実施の形態１に示した映像表示装置１０が備える構成要素と実質的に同じ構成要素については、その構成要素と同じ符号を付与して、その説明を省略する場合がある。
【０１６１】
［３−１．第一支持部材および第二支持部材］
図１８は、実施の形態２における映像表示装置の第一取り付け部材５０および第一支持部材１４０の外観の一例を模式的に示す背面図である。
【０１６２】
図１９は、実施の形態２における映像表示装置の第五嵌合部５９に対する第七嵌合部１４１の勘合方向の一例を模式的に示す図である。図１９には、図１１と同様に、第一支持部材１４０および第一取り付け部材５０の部分拡大図を示す。第一支持部材１４０の部分拡大図は、第一支持部材１４０のうち、第一取り付け部材５０が取り付けられる領域を拡大して示した上面図であり、この領域に第七嵌合部１４１が設けられている。第一取り付け部材５０の部分拡大図は、第一取り付け部材５０のうち、第七嵌合部１４１に嵌合する領域を拡大して示した底面図であり、この領域に第五嵌合部５９が設けられている。なお、第一取り付け部材５０の第五嵌合部５９の構造は、実施の形態１に示した第一取り付け部材５０の第一嵌合部５２の構造と実質的に同じである。
【０１６３】
第一支持部材１４０は、第一支持部材３０と同様に、ベース部１４５と脚部１４６とを備えて構成される。そして、図１９に示されるように、ベース部１４５の上面に、第七嵌合部１４１が設けられている。
【０１６４】
図１９に示されるように、第一支持部材１４０のベース部１４５の上面にある第七嵌合部１４１には、第一取り付け部材５０の接触面５８と接触する接触面１４２が設けられている。接触面１４２の形状は、第一取り付け部材５０の接触面５８とほぼ同じ大きさの略矩形である。
【０１６５】
接触面１４２には、凹部１４３が設けられている。凹部１４３は、接触面１４２の長手方向（Ｙ軸方向）に関しては接触面１４２のほぼ中央に位置するように配置され、幅方向（Ｘ軸方向）に関しては、中心線（図１９に一点鎖線で示す）よりもＸ軸正方向側に偏在している。この凹部１４３に対応するように、第一取り付け部材５０の凸部５３は、接触面５８（第五嵌合部５９）において、接触面５８の幅方向（Ｘ軸方向）に関して、中心線（図１９に一点鎖線で示す）よりもＸ軸正方向側に偏在している。
【０１６６】
凹部１４３は、下方（Ｚ軸負方向）に向けて窪んでおり、その窪みの深さは、第一取り付け部材５０の第五嵌合部５９の凸部５３を嵌合できる程度に設定されている。凹部１４３の水平面（Ｘ−Ｙ平面に平行な面）の断面形状は、凸部５３の水平面の断面形状に合わせてあり、接触面１４２の長手方向（Ｙ軸方向）に延伸する長辺を持つ矩形である。なお、凹部１４３は、凸部５３を嵌め込むことができるように形成された穴であってもよい。
【０１６７】
これにより、接触面５８と接触面１４２とが互いに揃えられて接触するときに、図１９の一点鎖線矢印で示されるにように、第一取り付け部材５０の第五嵌合部５９の凸部５３と第一支持部材１４０の第七嵌合部の凹部１４３とが互いに嵌合する。このように、接触面５８と接触面１４２とが互いにずれなく揃えられた状態で嵌合することで、第一支持部材１４０は、第一取り付け部材５０を安定に支持することができる。
【０１６８】
図２０は、図１８に示した状態から第一支持部材１４０を反転させた状態を示す図である。
【０１６９】
図２１は、図１９に示した状態から第一支持部材１４０を反転させた状態を示す図である。
【０１７０】
図２１に示されているように、第一支持部材１４０が表示パネル２０の表裏方向に反転（Ｘ−Ｙ平面上で１８０度回転）すると、反転前は接触面１４２において中心線よりもＸ軸正方向側に偏在していた凹部１４３は、中心線よりもＸ軸負方向側に偏在することになる。その結果、第一取り付け部材５０の第五嵌合部５９の凸部５３は、接触面５８と接触面１４２とが互いに揃えられた状態で、第一支持部材１４０の凹部１４３に嵌合することができなくなる。すなわち、実施の形態２に示す映像表示装置では、第一取り付け部材５０を、図２０に示した状態で第一支持部材１４０に取り付けることはできない。
【０１７１】
なお、第一支持部材１４０を図１９に示した状態から反転させて、凸部５３を凹部１４３に無理やり嵌合させることも可能である。しかし、その場合は、第一取り付け部材５０の接触面５８と第一支持部材１４０の接触面１４２とが幅方向（Ｘ軸方向）に相対的にずれてしまい、接触面５８と接触面１４２とが互いに揃わずに接触することになる。すなわち、この状態では、第一支持部材１４０と第一取り付け部材５０とは、正常に嵌合しない。これにより、使用者は、実施の形態２に示す映像表示装置においてはこのような組み合わせが許可されていないことを視覚的に理解できる。
【０１７２】
例えば、映像表示装置の構成によっては、図１４に示されるような、第一支持部材３０および第二支持部材４０が表示パネル２０よりも外側（表示パネル２０の幅方向に関して外側）にはみ出した状態で配置されることで、映像表示装置の設置に関する安定性が低下する場合があり得る。そのような映像表示装置においては、第一支持部材３０および第二支持部材４０が表示パネル２０よりも外側（表示パネル２０の幅方向に関して外側）にはみ出した状態で配置されることは望ましくない。したがって、そのような配置を避けるためには、第一支持部材１４０に、例えば図１９に示した構成の第七嵌合部１４１を適用することが有効である。
【０１７３】
なお、図示はしないが、実施の形態２では、第二取り付け部材６０（図４参照）における第二支持部材との嵌合部分を第六嵌合部という。また、第二支持部材における第二取り付け部材６０との嵌合部分を第八嵌合部という。
【０１７４】
図２２は、実施の形態２における第一取り付け部材５０の第五嵌合部５９と第二取り付け部材６０の第六嵌合部との関係、および、第一支持部材１４０の第七嵌合部と第二支持部材の第八嵌合部との関係のバリエーション（鏡像対称および点対称）を模式的に示す図である。
【０１７５】
図２２に示されるように、実施の形態２における映像表示装置では、第一取り付け部材５０の第五嵌合部５９の形状（図２２の（ａ）に模式的に示す）と第二取り付け部材６０の第六嵌合部の形状（図２２の（ｂ）に模式的に示す）とは、表示パネル２０の幅方向（Ｘ軸方向）に関して互いに鏡像対称である。そして、第一支持部材１４０の第七嵌合部１４１の形状（図２２の（ａ）に模式的に示す）と第二支持部材の第八嵌合部の形状（図２２の（ｂ）に模式的に示す）とは、表示パネル２０の幅方向（Ｘ軸方向）に関して互いに鏡像対称である。
【０１７６】
これにより、実施の形態２に示す映像表示装置において、第一支持部材１４０は、第一取り付け部材５０と嵌合した状態から、表示パネル２０の表裏方向で反転（Ｘ−Ｙ平面上で１８０度回転）した場合に、第一取り付け部材５０とは正常に嵌合しなくなるが、第二取り付け部材６０とは嵌合することができる。同様に、第二支持部材（図示せず）は、第二取り付け部材６０と嵌合した状態から、表示パネル２０の表裏方向で反転（Ｘ−Ｙ平面上で１８０度回転）した場合に、第二取り付け部材６０とは正常に嵌合しなくなるが、第一取り付け部材５０とは嵌合することができる。これにより、第一取り付け部材５０が第一装着部７０または第二装着部８０に取り付けられ、第二取り付け部材６０が第三装着部９０または第四装着部１００に取り付けられていれば（図４参照）、映像表示装置において、第一支持部材３０および第二支持部材４０が表示パネル２０よりも外側（表示パネル２０の幅方向に関して外側）にはみ出した状態で配置されることを避けることができる。
【０１７７】
なお、第一取り付け部材５０の第五嵌合部５９の形状（図２２の（ｃ）に模式的に示す）と第二取り付け部材６０の第六嵌合部の形状（図２２の（ｄ）に模式的に示す）とは、接触面の中心に対して点対称であり、かつ、第一支持部材１４０の第七嵌合部１４１の形状（図２２の（ｃ）に模式的に示す）と第二支持部材の第八嵌合部の形状（図２２の（ｄ）に模式的に示す）とは、接触面の中心に対して点対称であってもよい。このような構成であっても、上述と同様の効果を得ることができる。
【０１７８】
なお、実施の形態２に示す映像表示装置１０において、凸部５３と、凹部１４３とは、凹凸が互いに逆に形成されてもよい。すなわち、凹部１４３に代えて凸部が形成され、凸部５３に代えて凹部が形成されてもよい。
【０１７９】
［３−２．効果等］
映像表示装置において、第一支持部材は、第一取り付け部材と嵌合した状態から、第一支持部材が表示パネルの表裏方向で反転した後は、第一取り付け部材とは正常に嵌合せず、第二取り付け部材と嵌合する構造を有していてもよい。第二支持部材は、第二取り付け部材と嵌合した状態から、第二支持部材が表示パネルの表裏方向で反転した後は、第二取り付け部材とは正常に嵌合せず、第一取り付け部材と嵌合する構造を有していてもよい。
【０１８０】
なお、第一支持部材１４０は第一支持部材の一例である。
【０１８１】
例えば、実施の形態２に示した例では、映像表示装置において、第一支持部材１４０は、第一取り付け部材５０と嵌合した状態から、第一支持部材１４０が表示パネル２０の表裏方向で反転した後は、第一取り付け部材５０とは正常に嵌合せず、第二取り付け部材６０と嵌合する構造を有する。第二支持部材（図示せず）は、第二取り付け部材６０と嵌合した状態から、第二支持部材が表示パネル２０の表裏方向で反転した後は、第二取り付け部材６０とは正常に嵌合せず、第一取り付け部材５０と嵌合する構造を有する。
【０１８２】
映像表示装置において、第一取り付け部材は、表示パネルの幅方向に偏在する凸形状または凹形状を備えた第五嵌合部を有していてもよく、第二取り付け部材は、表示パネルの幅方向に偏在する凸形状または凹形状を備えた第六嵌合部を有していてもよい。第一支持部材は、第五嵌合部の凸形状または凹形状の偏在に対応して表示パネルの幅方向に偏在した凹形状または凸形状を備えた第七嵌合部を有していてもよく、第二支持部材は、第六嵌合部の凸形状または凹形状の偏在に対応して表示パネルの幅方向に偏在した凹形状または凸形状を備えた第八嵌合部を有していてもよい。
【０１８３】
なお、凸部５３は、第五嵌合部に備えられた凸形状または凹形状の一例である。第五嵌合部５９は第五嵌合部の一例である。凹部１４３は、第七嵌合部に備えられた凹形状または凸形状の一例である。第七嵌合部１４１は第七嵌合部の一例である。
【０１８４】
例えば、実施の形態２に示した例では、映像表示装置において、第一取り付け部材５０は、表示パネル２０の幅方向に偏在する凸部５３を備えた第五嵌合部５９を有し、第二取り付け部材６０は、表示パネル２０の幅方向に偏在する凸部（図示せず）を備えた第六嵌合部（図示せず）を有する。第一支持部材１４０は、第五嵌合部５９の凸部５３の偏在に対応して表示パネル２０の幅方向に偏在した凹部１４３を備えた第七嵌合部１４１を有し、第二支持部材（図示せず）は、第六嵌合部の凸部の偏在に対応して表示パネル２０の幅方向に偏在した凹部（図示せず）を備えた第八嵌合部（図示せず）を有する。
【０１８５】
以上のように構成された映像表示装置では、第一取り付け部材および第二取り付け部材と、第一支持部材および第二支持部材との、特定の組み合わせが防止される。これにより、その映像表示装置では、使用者が特定のデザインへ変更することを防止することが可能になる。
【０１８６】
（実施の形態２の変形例）
実施の形態２の変形例では、第一取り付け部材および第二取り付け部材の側壁の形状が、上述した第一取り付け部材および第二取り付け部材の側壁の形状と異なる構成を説明する。なお、実施の形態２の変形例の映像表示装置における側壁を除く構成に関しては、上述した映像表示装置の構成と実質的に同じであるので、説明を省略する。
【０１８７】
以下では、第一取り付け部材、第一装着部、および第二装着部、を例に挙げて説明する。
【０１８８】
［４−１．構成］
図２３Ａは、実施の形態２の変形例における映像表示装置の第一装着部７０と第一取り付け部材１５０との嵌合状態の一例を模式的に示す水平断面図である。
【０１８９】
図２３Ｂは、実施の形態２の変形例における映像表示装置の第二装着部８０の一構成例を模式的に示す水平断面図である。
【０１９０】
図２３Ａに示されている第一取り付け部材１５０は、側壁１５５の形状を除き、図８および図９等に示されている第一取り付け部材５０と実質的に同じ構造を有する。ただし、第一取り付け部材１５０の側壁１５５のＹ軸方向の大きさは、第一取り付け部材５０の側壁５５のＹ軸方向の大きさよりも、大きい。
【０１９１】
図２３Ａに示されているように、第一取り付け部材１５０において、挿入部１５１は、側壁１５５、側壁１５６、および底壁１５７を備えて構成され、水平面（Ｘ−Ｙ平面に平行な面）の断面がＪ字形状であり、上下方向（Ｚ軸方向）に延伸している。
【０１９２】
具体的には、底壁１５７は、表示パネル２０の幅方向（Ｘ軸方向）に平行であり、上下方向（Ｚ軸方向）に細長く延伸している。側壁１５５は、底壁１５７のＸ軸正方向側の側縁部に沿って延伸しており、表示パネル２０の裏側に向かう方向（Ｙ軸正方向）に向けて立設している。一方、側壁１５６は、底壁１５７のＸ軸負方向側の側縁部に沿って延伸しており、表示パネル２０の裏側に向かう方向（Ｙ軸正方向）に向けて立設している。
【０１９３】
そして、図２３Ａに示されているように、第一取り付け部材１５０の側壁１５６は、第一取り付け部材１５０を第一装着部７０の溝部７１に挿入したときに、側壁１５６の上端部（Ｙ軸正方向側の端部）が、第一装着部７０の上壁７５の内壁面（Ｙ軸負方向側の壁面）に接するかまたはわずかに接しない程度の大きさに形成されている。一方、第一取り付け部材１５０の側壁１５５は、第一取り付け部材１５０を第一装着部７０の溝部７１に挿入したときに、側壁１５５の上端部（Ｙ軸正方向側の端部）が、第一装着部７０の上壁７５の内壁面よりもＹ軸正方向側になる（Ｙ軸方向に大きくなる）ように形成されている。
【０１９４】
第一装着部７０には、図２３Ａに示されているように、側壁１５５と当接する構造物が設けられていない。そのため、本変形例に示す映像表示装置を使用する使用者は、第一取り付け部材１５０の挿入部１５１を、第一装着部７０の溝部７１に挿入することができ、第一取り付け部材１５０と第一装着部７０とを互いに嵌合させることが可能である。
【０１９５】
図示しないが、本変形例において、第四装着部１００の構造は、上述の第一装着部７０の構造と実質的に同じである。つまり、本変形例に示す映像表示装置を使用する使用者は、第一取り付け部材１５０の挿入部１５１を、第四装着部１００の溝部にも挿入することができ、第一取り付け部材１５０と第四装着部１００とを互いに嵌合させることが可能である。
【０１９６】
図２３Ｂに示されるように、第二装着部８０には、溝部８１が設けられている。溝部８１は、底壁８２、側壁８３、および上壁８５を備えて構成されている。底壁８２は、表示パネル２０の幅方向（Ｘ軸方向）に平行であり、上下方向（Ｚ軸方向）に細長く延伸している。側壁８３は、底壁８２のＸ軸負方向側の側縁部に沿って延伸しており、表示パネル２０の裏側に向かう方向（Ｙ軸正方向）に向けて立設している。上壁８５は、側壁８３の上縁部に沿って延伸し、側壁８３の内側に向けて（Ｘ軸負方向に向けて）立設している。
【０１９７】
なお、図２３Ａと図２３Ｂとの比較からわかるように、第二装着部８０の溝部８１の水平面（Ｘ−Ｙ平面に平行な面）の断面形状は、幅方向（Ｘ軸方向）に関して、第一装着部７０の溝部７１の水平面の断面形状と鏡像対称である。
【０１９８】
図２３Ｂでは、第一取り付け部材１５０の挿入部１５１の水平面の断面を破線で示している。図２３Ｂに示されるように、第一取り付け部材１５０の側壁１５５の上端部は、第二装着部８０の上壁８５の内壁面（Ｙ軸負方向側の壁面）よりもＹ軸正方向側にある。すなわち、第一取り付け部材１５０の側壁１５５は、第二装着部８０の上壁８５の内壁面よりもＹ軸正方向に大きい。そのため、使用者が、第一取り付け部材１５０の挿入部１５１を第二装着部８０の溝部８１に挿入しようとしても、第一取り付け部材１５０の側壁１５５が第二装着部８０の上壁８５に当接するため、挿入部１５１を溝部８１へ挿入することはできない。すなわち、本変形例の映像表示装置において、第二装着部８０における溝部８１の上壁８５は、第一取り付け部材１５０の挿入部１５１の挿入を規制する規制部として機能する。以下、第一取り付け部材１５０の挿入部１５１の挿入を規制する規制部を第二規制部という（図２３Ｂには第二規制部８６として示す）。これにより、本変形例に示す映像表示装置を使用する使用者は、第一取り付け部材１５０の挿入部１５１を、第二装着部８０の溝部８１に挿入して嵌合させることはできない。
【０１９９】
図示しないが、本変形例において、第三装着部９０の構造は、上述の第二装着部８０の構造と実質的に同じである。したがって、第三装着部９０の溝部の上壁も、第一取り付け部材１５０の挿入部１５１の挿入を規制する第二規制部として機能する。これにより、本変形例に示す映像表示装置を使用する使用者は、第一取り付け部材１５０の挿入部１５１を、第三装着部９０の溝部にも挿入することができず、第一取り付け部材１５０を第三装着部９０に嵌合させることができない。
【０２００】
なお、図示しないが、本変形例において、第二取り付け部材の挿入部の水平断面形状は、上述の第一取り付け部材１５０の水平断面形状と、幅方向（Ｘ軸方向）に関して鏡像対称であり、逆Ｊ字形状を有する。そのため、使用者が、第二取り付け部材の挿入部を第一装着部７０の溝部７１に挿入しようとしても、第二取り付け部材の側壁が第一装着部７０の上壁７５に当接するため、第二取り付け部材の挿入部を第一装着部７０の溝部７１へ挿入することはできない。すなわち、第二取り付け部材の挿入部に対しては、第一装着部７０の溝部７１の上壁７５が規制部として機能する。以下、第二取り付け部材の挿入部の挿入を規制する規制部を第一規制部という（図２３Ａには第一規制部７８として示す）。
【０２０１】
上述したように、本変形例において、第四装着部１００の構造は、第一装着部７０の構造と実質的に同じである。したがって、第四装着部１００の溝部の上壁も、第二取り付け部材の挿入部の挿入を規制する第一規制部として機能する。これにより、使用者は、第二取り付け部材の挿入部を、第四装着部１００の溝部にも挿入することができない。
【０２０２】
一方、上述したように、本変形例において、第二装着部８０の溝部８１の水平断面形状および第三装着部９０の溝部の水平断面形状は、第一装着部７０の溝部７１の水平断面形状と、幅方向（Ｘ軸方向）に関して鏡像対称である。したがって、使用者は、第二取り付け部材の挿入部を、第二装着部８０の溝部８１および第三装着部９０の溝部のいずれにも挿入することができ、第二取り付け部材と第二装着部８０または第三装着部９０とを互いに嵌合させることができる。
【０２０３】
次に、実施の形態２の変形例における映像表示装置のデザイン（外観）について説明する。
【０２０４】
図２４Ａは、実施の形態２の変形例における映像表示装置１６０の外観の一例を模式的に示す上面図である。図２４Ｂは、実施の形態２の変形例における映像表示装置１６０の外観の他の一例を模式的に示す上面図である。図２４Ｃ、図２４Ｄは、実施の形態２の変形例における映像表示装置１６０の外観のさらに他の一例を模式的に示す上面図である。
【０２０５】
本変形例に例示する映像表示装置１６０においては、第一取り付け部材１５０の第五嵌合部の形状と第二取り付け部材の第六嵌合部の形状とが幅方向（Ｘ軸方向）に関して鏡像対称であり、かつ、第一支持部材の第七嵌合部の形状と第二支持部材の第八嵌合部の形状とが幅方向（Ｘ軸方向）に関して鏡像対称であるものとする。その場合、映像表示装置１６０のデザイン（外観）は、図２４Ａ〜図２４Ｄに例示される４つのパターンに限定される。
【０２０６】
図２４Ａに示されている映像表示装置１６０では、第一取り付け部材１５０が第一装着部７０と第一支持部材１６１との間に介在し、第二取り付け部材が第三装着部９０と第二支持部材１６２との間に介在している。図２４Ｂに示されている映像表示装置１６０では、第一取り付け部材１５０が第四装着部１００と第一支持部材１６１との間に介在し、第二取り付け部材が第二装着部８０と第二支持部材１６２との間に介在している。図２４Ｃに示されている映像表示装置１６０では、第一取り付け部材１５０が第一装着部７０と第二支持部材１６２との間に介在し、第二取り付け部材が第三装着部９０と第一支持部材１６１との間に介在している。図２４Ｄに示されている映像表示装置１６０では、第一取り付け部材１５０が第四装着部１００と第二支持部材１６２との間に介在し、第二取り付け部材が第二装着部８０と第一支持部材１６１との間に介在している。
【０２０７】
このように、本変形例に示す映像表示装置１６０では、第一取り付け部材１５０は、第一装着部７０または第四装着部１００に装着できるが、第二装着部８０および第三装着部９０には装着できない。また、第二取り付け部材は、第二装着部８０または第三装着部９０に装着できるが、第一装着部７０および第四装着部１００には装着できない。また、第二支持部材１６２が第一取り付け部材１５０に取り付けられるとき、第二支持部材１６２は、第二取り付け部材に取り付けられるときとは向きを表示パネル２０の表裏方向に反転（Ｘ−Ｙ平面上で１８０度回転）しなければ、第一取り付け部材１５０と正常に嵌合しない。同様に、第一支持部材１６１が第二取り付け部材に取り付けられるとき、第一支持部材１６１は、第一取り付け部材１５０に取り付けられるときとは向きを表示パネル２０の表裏方向に反転（Ｘ−Ｙ平面上で１８０度回転）しなければ、第二取り付け部材と正常に嵌合しない。
【０２０８】
これにより、図２４Ａ、図２４Ｃに示されているように、映像表示装置１６０において、第一支持部材１６１と第二支持部材１６２とが、表示パネル２０の幅方向（Ｘ軸方向）の外方に配置（すなわち、第一装着部７０、第三装着部９０に装着）される場合には、第一支持部材１６１および第二支持部材１６２は、表示パネル２０の内側（表示パネル２０の幅方向に関して内側）に向けて湾曲する向きで配置される。一方、図２４Ｂ、図２４Ｄに示されているように、映像表示装置１６０において、第一支持部材１６１と第二支持部材１６２とが、表示パネル２０の幅方向（Ｘ軸方向）の内方に配置（すなわち、第二装着部８０、第四装着部１００に装着）される場合には、第一支持部材１６１および第二支持部材１６２は、表示パネル２０の外側（表示パネル２０の幅方向に関して外側）に向けて湾曲する向きで配置される。そして、映像表示装置１６０では、図２４Ａ〜図２４Ｄに示されるこれら４つのデザインの場合に、表示パネル２０がより安定に支持される。
【０２０９】
なお、第一取り付け部材１５０の第五嵌合部の形状と第二取り付け部材の第六嵌合部の形状とが幅方向（Ｘ軸方向）に関して非鏡像対称であり、かつ、第一支持部材１６１の第七嵌合部の形状と第二支持部材１６２の第八嵌合部の形状とが幅方向（Ｘ軸方向）に関して非鏡像対称である場合には、映像表示装置１６０のデザイン（外観）は、図２４Ａおよび図２４Ｂに示される２つのパターンか、または、図２４Ｃおよび図２４Ｄに示される２つのパターンだけとなる。これは、第一支持部材１６１を表示パネル２０の表裏方向で反転させると、第一支持部材１６１は、第一取り付け部材１５０および第二取り付け部材のいずれにも正常に嵌合できず、同様に、第二支持部材１６２を表示パネル２０の表裏方向で反転させると、第二支持部材１６２は、第二取り付け部材および第一取り付け部材１５０のいずれにも正常に嵌合できなくなるためである。
【０２１０】
なお、本変形例における映像表示装置１６０では、上述した規制部（第一規制部および第二規制部）に変更を加えることで、映像表示装置１６０のデザイン（外観）を、図２４Ｅ〜図２４Ｈに例示される４つのパターンに限定することも可能である。
【０２１１】
図２４Ｅは、実施の形態２の他の変形例における映像表示装置１６０の外観の一例を模式的に示す上面図である。図２４Ｆは、実施の形態２の他の変形例における映像表示装置１６０の外観の他の一例を模式的に示す上面図である。図２４Ｇ、図２４Ｈは、実施の形態２の他の変形例における映像表示装置１６０の外観のさらに他の一例を模式的に示す上面図である。
【０２１２】
例えば、映像表示装置１６０において、第一取り付け部材１５０は第一装着部７０および第二装着部８０のいずれかのみに挿入および嵌合が可能となり、第二取り付け部材は第三装着部９０および第四装着部１００のいずれかのみに挿入および嵌合が可能となるように、規制部（第一規制部および第二規制部）に変更を加えてもよい。その場合、映像表示装置１６０のデザイン（外観）は、図２４Ｅ〜図２４Ｈに例示される４つのパターンに限定される。このような映像表示装置１６０では、第一支持部材１６１および第二支持部材１６２は、図２４Ｅ〜図２４Ｈに例示されるように、常に、表示パネル２０の内側（表示パネル２０の幅方向に関して内側）に向けて湾曲する向きで配置される。
【０２１３】
なお、図示はしないが、第一支持部材１６１および第二支持部材１６２が、常に、表示パネル２０の外側（表示パネル２０の幅方向に関して外側）に向けて湾曲する向きで配置されるように、規制部（第一規制部および第二規制部）に変更を加えることも可能である。
【０２１４】
なお、実施の形態２の変形例では、上壁と側壁とが互いに当接することで、規制部（第一規制部および第二規制部）を実現する構成例を説明したが、本開示は何らこの構成に限定されない。例えば、図７に示された第一取り付け部材および第二取り付け部材の各々の挿入部の先端部に設けられる切り欠きの非対称性を利用した規制部が設けられてもよい。例えば、第一溝部、第二溝部、第三溝部、および第四溝部のそれぞれに、第一取り付け部材および第二取り付け部材のいずれかの切り欠きだけに適合する構造物を設けることで、上述した規制部（第一規制部および第二規制部）と同様に機能する規制部を実現することができる。
【０２１５】
［４−２．効果等］
映像表示装置において、第一溝部、第二溝部、第三溝部、および第四溝部のうちの２つの溝部は、第二取り付け部材の挿入を規制する第一規制部を有し、第一溝部、第二溝部、第三溝部、および第四溝部のうちの他の２つの溝部は、第一取り付け部材の挿入を規制する第二規制部を有してもよい。
【０２１６】
なお、第一規制部７８は第一規制部の一例である。第二規制部８６は第二規制部の一例である。第一装着部７０の溝部７１は、第一溝部の一例である。第二装着部８０の溝部８１は、第二溝部の一例である。第三装着部９０の溝部は、第三溝部の一例である。第四装着部１００の溝部は、第四溝部の一例である。
【０２１７】
例えば、実施の形態２の変形例に示した例では、映像表示装置において、第一装着部７０の溝部７１、および第四装着部１００の溝部は、第二取り付け部材の挿入を規制する第一規制部７８を有し、第二装着部８０の溝部８１、および第三装着部９０の溝部は、第一取り付け部材１５０の挿入を規制する第二規制部８６を有する。
【０２１８】
このように構成された映像表示装置では、第一取り付け部材および第二取り付け部材と、第一支持部材および第二支持部材との、特定の組み合わせが防止される。これにより、その映像表示装置を使用する使用者は、例えば、表示パネルをより安定に支えることができるデザイン等の、限定された範囲内でのみデザインを変更することが可能であり、その映像表示装置における使用者による他の特定のデザインへの変更は防止される。
【０２１９】
（他の実施の形態）
以上のように、本出願において開示する技術の例示として、実施の形態１、２および各実施の形態の変形例を説明した。しかしながら、本開示の技術は、これに限定されず、変更、置き換え、付加、省略等を行った実施の形態にも適用できる。また、上記実施の形態１、２および各実施の形態の変形例で説明した各構成要素を組み合わせて、新たな実施の形態とすることも可能である。
【０２２０】
そこで、以下、他の実施の形態を例示する。
【０２２１】
実施の形態１では、第一支持部材３０と第二支持部材４０とを互いに別々の部材で構成する例を示したが、本開示はこの構成に限定されない。例えば図２５に示されるように、第一支持部材と第二支持部材とを一体化して一体型支持部材１７０を設けてもよい。
【０２２２】
図２５は、他の実施の形態における一体型支持部材１７０の外観の一例を模式的に示す上面図である。一体型支持部材１７０は、ベース部１７１と、一対の脚部１７２と、を備えて構成されている。一体型支持部材１７０は、全体が、幅方向（Ｘ軸方向）の中心線（図示せず）に関して鏡像対称の形状を有する。そして、ベース部１７１には、一対の凹部の集まり（凹部群）が設けられる。これら一対の凹部の集まりは、それぞれ、点対称の形状を有し、第三嵌合部１７３および第四嵌合部１７４として機能する。
【０２２３】
第一支持部材および第二支持部材は、映像表示装置の外観に大きな影響を与える。以下、第一支持部材および第二支持部材の種々の形態を例示する。
【０２２４】
図２６Ａは、他の実施の形態における第一支持部材１８０の外観の一例を模式的に示す上面図である。図２６Ｂは、図２６Ａに示される第一支持部材１８０の背面側の外観の一例を模式的に示す背面図である。図２６Ｃは、図２６Ａに示される第一支持部材１８０の左側面側の外観の一例を模式的に示す側面図である。図２６Ｄは、図２６Ａに示される第一支持部材１８０の正面側の外観の一例を模式的に示す正面図である。図２６Ｅは、図２６Ａに示される第一支持部材１８０の右側面側の外観の一例を模式的に示す側面図である。図２６Ｆは、図２６Ａに示される第一支持部材１８０の底面側の外観の一例を模式的に示す底面図である。図２６Ｇは、図２６Ａに示される第一支持部材１８０、および第二支持部材１８５の外観の一例を模式的に示す斜視図である。図２６Ｈは、図２６Ｇに示される第一支持部材１８０および第二支持部材１８５の正面側の外観の一例を模式的に示す正面図である。
【０２２５】
図２６Ａ〜図２６Ｈに例示する第一支持部材１８０および第二支持部材１８５は、ブーメラン状の柔らかなカーブを描く形状を有しており、使用者に落ち着いた質感を与えることができる。
【０２２６】
図２７Ａは、他の実施の形態における第一支持部材１９０の外観の一例を模式的に示す上面図である。図２７Ｂは、図２７Ａに示される第一支持部材１９０の左側面側の外観の一例を模式的に示す側面図である。図２７Ｃは、図２７Ａに示される第一支持部材１９０の正面側の外観の一例を模式的に示す正面図である。図２７Ｄは、図２７Ａに示される第一支持部材１９０の右側面側の外観の一例を模式的に示す側面図である。図２７Ｅは、図２７Ａに示される第一支持部材１９０の背面側の外観の一例を模式的に示す背面図である。図２７Ｆは、図２７Ａに示される第一支持部材１９０の底面側の外観の一例を模式的に示す底面図である。図２７Ｇは、図２７Ａに示される第一支持部材１９０、および第二支持部材１９５の外観の一例を模式的に示す斜視図である。図２７Ｈは、図２７Ｇに示される第一支持部材１９０および第二支持部材１９５の正面側の外観の一例を模式的に示す正面図である。
【０２２７】
図２７Ａ〜図２７Ｈに例示する第一支持部材１９０および第二支持部材１９５は、脚部が真っ直ぐに延び中心付近で屈曲した形状を有するので、使用者にシャープな質感を与えることができる。また、第一支持部材１９０および第二支持部材１９５は、例えば図２７Ｄおよび図２７Ｇに示すように脚部の下部に窪みが設けられており、これにより脚部と設置面との間に空隙が生じるので、使用者に表示パネル２０が浮遊したかのような浮遊感を与えることができる。
【０２２８】
図２８Ａは、他の実施の形態における第一支持部材２００の外観の一例を模式的に示す上面図である。図２８Ｂは、図２８Ａに示される第一支持部材２００の背面側の外観の一例を模式的に示す背面図である。図２８Ｃは、図２８Ａに示される第一支持部材２００の左側面側の外観の一例を模式的に示す側面図である。図２８Ｄは、図２８Ａに示される第一支持部材２００の正面側の外観の一例を模式的に示す正面図である。図２８Ｅは、図２８Ａに示される第一支持部材２００の右側面側の外観の一例を模式的に示す側面図である。図２８Ｆは、図２８Ａに示される第一支持部材２００の底面側の外観の一例を模式的に示す底面図である。図２８Ｇは、図２８Ａに示される第一支持部材２００、および第二支持部材２０５の外観の一例を模式的に示す斜視図である。図２８Ｈは、図２８Ｇに示される第一支持部材２００および第二支持部材２０５の正面側の外観の一例を模式的に示す正面図である。
【０２２９】
図２８Ａ〜図２８Ｈに例示する第一支持部材２００および第二支持部材２０５は、幅が太く厚みを持つ形状であるので、使用者に重厚感を与えることができる。
【０２３０】
図２９Ａは、他の実施の形態における一体型支持部材２１０の外観の一例を模式的に示す上面図である。図２９Ｂは、図２９Ａに示される一体型支持部材２１０の左側面側の外観の一例を模式的に示す側面図である。図２９Ｃは、図２９Ａに示される一体型支持部材２１０の正面側の外観の一例を模式的に示す正面図である。図２９Ｄは、図２９Ａに示される一体型支持部材２１０の右側面側の外観の一例を模式的に示す側面図である。図２９Ｅは、図２９Ａに示される一体型支持部材２１０の背面側の外観の一例を模式的に示す背面図である。図２９Ｆは、図２９Ａに示される一体型支持部材２１０の底面側の外観の一例を模式的に示す底面図である。図２９Ｇは、図２９Ａに示される一体型支持部材２１０の外観の一例を模式的に示す斜視図である。
【０２３１】
図２９Ａ〜図２９Ｇに例示する一体型支持部材２１０は、支持部材が第一支持部材と第二支持部材とに分離している場合と比べて構造的に安定的であるので、使用者に安定感を与えることができる。
【０２３２】
実施の形態１には示していないが、例えば、第一支持部材３０と第二支持部材４０との間にサウンドバー（スピーカー）（図示せず）を設け、映像表示装置において第一支持部材３０と第二支持部材４０との一体感を使用者に与えるようなデザインとしてもよい。
【０２３３】
第一支持部材３０および第二支持部材４０の表面に、シボ加工、鏡面加工、またはブラスト加工が施されてもよい。このとき、第一支持部材３０および第二支持部材４０の前側と後側とで、色、質感、および材質の少なくとも一つが異なっていてもよい。
【０２３４】
実施の形態１では、第一取り付け部材５０の第一嵌合部５２が凸部５３を有し、第一支持部材３０の第三嵌合部３１が凹部３３および凹部３４を有する構成を説明したが、本開示はこの構成に限定されない。例えば、第一嵌合部５２が凹部を有し、第三嵌合部３１が凸部を有してもよい。また、第一嵌合部５２と第三嵌合部３１とが互いに嵌合するように構成されていれば、第一嵌合部５２および第三嵌合部３１は、それぞれ、凸部および凹部の複合体を有してもよい。あるいは、各嵌合部の形状は、凹凸に限定されず、凹凸以外の、他の形態による嵌合構造を有してもよい。他の嵌合部（第二嵌合部、第四嵌合部〜第八嵌合部）についても同様である。
【０２３５】
実施の形態１では、第一装着部７０〜第四装着部１００の各々の上下方向（Ｘ軸方向）の位置が、互いに同じ位置に揃えられた構成を示したが、本開示は何らこの構成に限定されない。例えば、第二装着部８０および第四装着部１００の上下方向の位置が、第一装着部７０および第三装着部９０の上下方向の位置よりも、下側（すなわち、設置面に相対的に近い位置）に設けられていてもよい。このように構成された映像表示装置において、例えば第一装着部７０および第三装着部９０が使用されている場合には、表示パネル２０の位置が設置面に相対的に近くなるため、使用者に安定感を与えることができる、また、この映像表示装置において第二装着部８０および第四装着部１００が使用されている場合には、表示パネル２０の位置が設置面から相対的に上方向に離れるため、使用者に表示パネル２０の浮遊感を与えることができる。
【０２３６】
実施の形態１では、第一取り付け部材５０と第一支持部材３０とが嵌合する構成例、および、第二取り付け部材６０と第二支持部材４０とが嵌合する構成例を主に説明した。しかし、第一取り付け部材５０と第二支持部材４０とが嵌合し、第二取り付け部材６０と第一支持部材３０とが嵌合してもよい。
【０２３７】
なお、実施の形態に示した角度等の数値は単なる一例であり、本開示は何らこれらの数値に限定されるものではない。
【０２３８】
以上のように、本開示における技術の例示として、実施の形態を説明した。そのために、添付図面および詳細な説明を提供した。
【０２３９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２４０】
また、上述の実施の形態は、本開示における技術を例示するためのものであるから、特許請求の範囲またはその均等の範囲において種々の変更、置き換え、付加、省略などを行うことができる。
【産業上の利用可能性】
【０２４１】
本開示は、映像表示装置に適用可能である。具体的には、例えば液晶パネルやＥＬパネル等を備えたテレビジョン受像機、パーソナルコンピュータ用のディスプレイ等に、本開示は適用可能である。
【符号の説明】
【０２４２】
１０    映像表示装置
２０    表示パネル
２１    液晶パネル
３０    第一支持部材
３１    第三嵌合部
３２    接触面
３３    凹部
３４    凹部
３５    ベース部
３６    脚部
４０    第二支持部材
５０    第一取り付け部材
５１    挿入部
５１Ａ    ねじ
５２    第一嵌合部
５３    凸部
５４    ねじ孔
５５    側壁
５６    側壁
５７    底壁
５８    接触面
５９    第五嵌合部
６０    第二取り付け部材
７０    第一装着部
７１    溝部
７２    底壁
７４    側壁
７５    上壁
７６    ねじ孔
７８    第一規制部
７９    ガイド板
８０    第二装着部
８１    溝部
８２    底壁
８３    側壁
８５    上壁
８６    第二規制部
９０    第三装着部
１００    第四装着部
１１０    映像表示装置
１２０    第一取り付け部材
１２１    第二取り付け部材
１３０    第一支持部材
１３０Ａ，１３１Ａ    傾斜部材
１３１    第二支持部材
１３５，１３７    ベース部
１３６，１３８    脚部
１４０    第一支持部材
１４１    第七嵌合部
１４２    接触面
１４３    凹部
１４５    ベース部
１４６    脚部
１５０    第一取り付け部材
１５１    挿入部
１５５    側壁
１５６    側壁
１５７    底壁
１６０    映像表示装置
１６１    第一支持部材
１６２    第二支持部材
１７０    一体型支持部材
１７１    ベース部
１７２    脚部
１７３    第三嵌合部
１７４    第四嵌合部
１８０    第一支持部材
１８５    第二支持部材
１９０    第一支持部材
１９５    第二支持部材
２００    第一支持部材
２０５    第二支持部材
２１０    一体型支持部材
【図１】
2017098711.tif 000003
【図２】
2017098711.tif 000004
【図３】
2017098711.tif 000005
【図４】
2017098711.tif 000006
【図５】
2017098711.tif 000007
【図６】
2017098711.tif 000008
【図７】
2017098711.tif 000009
【図８】
2017098711.tif 000010
【図９】
2017098711.tif 000011
【図１０】
2017098711.tif 000012
【図１１】
2017098711.tif 000013
【図１２】
2017098711.tif 000014
【図１３】
2017098711.tif 000015
【図１４】
2017098711.tif 000016
【図１５】
2017098711.tif 000017
【図１６Ａ】
2017098711.tif 000018
【図１６Ｂ】
2017098711.tif 000019
【図１６Ｃ】
2017098711.tif 000020
【図１６Ｄ】
2017098711.tif 000021
【図１６Ｅ】
2017098711.tif 000022
【図１６Ｆ】
2017098711.tif 000023
【図１６Ｇ】
2017098711.tif 000024
【図１６Ｈ】
2017098711.tif 000025
【図１７Ａ】
2017098711.tif 000026
【図１７Ｂ】
2017098711.tif 000027
【図１７Ｃ】
2017098711.tif 000028
【図１７Ｄ】
2017098711.tif 000029
【図１７Ｅ】
2017098711.tif 000030
【図１７Ｆ】
2017098711.tif 000031
【図１７Ｇ】
2017098711.tif 000032
【図１７Ｈ】
2017098711.tif 000033
【図１７Ｉ】
2017098711.tif 000034
【図１７Ｊ】
2017098711.tif 000035
【図１７Ｋ】
2017098711.tif 000036
【図１７Ｌ】
2017098711.tif 000037
【図１８】
2017098711.tif 000038
【図１９】
2017098711.tif 000039
【図２０】
2017098711.tif 000040
【図２１】
2017098711.tif 000041
【図２２】
2017098711.tif 000042
【図２３Ａ】
2017098711.tif 000043
【図２３Ｂ】
2017098711.tif 000044
【図２４Ａ】
2017098711.tif 000045
【図２４Ｂ】
2017098711.tif 000046
【図２４Ｃ】
2017098711.tif 000047
【図２４Ｄ】
2017098711.tif 000048
【図２４Ｅ】
2017098711.tif 000049
【図２４Ｆ】
2017098711.tif 000050
【図２４Ｇ】
2017098711.tif 000051
【図２４Ｈ】
2017098711.tif 000052
【図２５】
2017098711.tif 000053
【図２６Ａ】
2017098711.tif 000054
【図２６Ｂ】
2017098711.tif 000055
【図２６Ｃ】
2017098711.tif 000056
【図２６Ｄ】
2017098711.tif 000057
【図２６Ｅ】
2017098711.tif 000058
【図２６Ｆ】
2017098711.tif 000059
【図２６Ｇ】
2017098711.tif 000060
【図２６Ｈ】
2017098711.tif 000061
【図２７Ａ】
2017098711.tif 000062
【図２７Ｂ】
2017098711.tif 000063
【図２７Ｃ】
2017098711.tif 000064
【図２７Ｄ】
2017098711.tif 000065
【図２７Ｅ】
2017098711.tif 000066
【図２７Ｆ】
2017098711.tif 000067
【図２７Ｇ】
2017098711.tif 000068
【図２７Ｈ】
2017098711.tif 000069
【図２８Ａ】
2017098711.tif 000070
【図２８Ｂ】
2017098711.tif 000071
【図２８Ｃ】
2017098711.tif 000072
【図２８Ｄ】
2017098711.tif 000073
【図２８Ｅ】
2017098711.tif 000074
【図２８Ｆ】
2017098711.tif 000075
【図２８Ｇ】
2017098711.tif 000076
【図２８Ｈ】
2017098711.tif 000077
【図２９Ａ】
2017098711.tif 000078
【図２９Ｂ】
2017098711.tif 000079
【図２９Ｃ】
2017098711.tif 000080
【図２９Ｄ】
2017098711.tif 000081
【図２９Ｅ】
2017098711.tif 000082
【図２９Ｆ】
2017098711.tif 000083
【図２９Ｇ】
2017098711.tif 000084
【国際調査報告】
2017098711.tif 000085
2017098711.tif 000086
2017098711.tif 000087
2017098711.tif 000088